(57)【要約】  屋外と屋内等、場所、環境に応じて、無線パラメータの最適化を実現可能とするシステム、方法、プログラム、移動局、基地局、管理サーバを提供する。移動局３で受信されるＧＰＳ電波の受信品質又はＧＰＳ位置情報の取得に要する時間（又は、所定のテレビ放送又はラジオ放送の受信品質）を、移動局３の周囲環境情報として用い、前記周囲環境に基づき、回線状況（受信品質）の測定、及び／又は前記測定の基地局２への報告の実行を制御する。移動局３からの報告は基地局２、ゲートウェイ１を介して管理サーバ４に送信され、管理サーバ４では、報告に基づき無線パラメータの最適化を行う。（図２）
2009048088.tif 000002
【特許請求の範囲】
【請求項１】
基地局とは別の所定の無線送信源からの無線信号の受信状況に応じて、
自端末での回線状況の測定、及び／又は、前記回線状況の測定結果の基地局への報告、
の実行を制御する、ことを特徴とする移動端末。
【請求項２】
前記所定の無線送信源からの無線信号は、前記移動端末での前記無線信号の受信状況に基づき、前記移動端末が屋外か屋内であるかを判別可能とするものである、ことを特徴とする請求項１記載の移動端末。
【請求項３】
前記所定の無線送信源からの無線信号の受信状況が、
前記無線信号を受信し該信号から所定の情報を取得するのに要する時間と、
前記無線信号の受信品質又は強度と、
の少なくとも一つを含む、ことを特徴とする請求項１又は２記載の移動端末。
【請求項４】
前記報告に、前記回線状況の測定結果と、前記所定の無線送信源からの無線信号の受信状況に関する情報とを含めて基地局に送信する、ことを特徴とする請求項１乃至３のいずれか１項に記載の移動端末。
【請求項５】
前記所定の無線送信源のアンテナは、前記基地局のアンテナよりも高い場所に位置している、ことを特徴とする請求項１乃至４のいずれか１項に記載の移動端末。
【請求項６】
前記所定の無線送信源の使用周波数は、前記基地局からの信号の周波数よりも低い周波数である、ことを特徴とする請求項１乃至５のいずれか１項に記載の移動端末。
【請求項７】
前記所定の無線送信源が、ＧＰＳ（Ｇｌｏｂａｌ  Ｐｏｓｉｔｉｏｎｉｎｇ  Ｓｙｓｔｅｍ）衛星、地上デジタルテレビジョン放送、アナログテレビジョン放送、ラジオ放送のいずれかを含む、ことを特徴とする請求項１乃至６のいずれか１項に記載の移動端末。
【請求項８】
予め定められた所定のイベント発生時、自端末の位置情報を取得し、所定時間内に前記位置情報を取得できた場合、前記報告として、前記位置情報の取得に要した時間と、発生イベント情報とを基地局に送信する、ことを特徴とする請求項１乃至７のいずれか１項に記載の移動端末。
【請求項９】
基地局からの測定指示に、位置情報の取得の可否に基づく制御を行うことが指定されている場合、自端末の位置情報の取得を試み、
予め定められた所定時間内に前記位置情報が取得できたか否かに応じて、回線状況の測定を制御する、ことを特徴とする請求項１乃至７のいずれか１項に記載の移動端末。
【請求項１０】
予め定められた所定のイベントの発生に応答して、前記回線状況の測定結果の基地局への報告を行う、ことを特徴とする請求項９記載の移動端末。
【請求項１１】
基地局からの測定指示にしたがって、回線状況の測定を行い、
予め定められた所定のイベントの発生に応答して、自端末の位置情報の取得を試み、
予め定められた所定時間内に前記位置情報が取得できたか否かに応じて、発生したイベント情報の報告を基地局に対して行う、ことを特徴とする請求項１乃至７のいずれか１項に記載の移動端末。
【請求項１２】
基地局からの測定指示に、位置情報の取得の可否に基づく制御を行うことが指定されている場合、自端末の位置情報の取得を試み、
前記位置情報の受信品質が予め定められた所定の閾値よりも高いか低いかに応じて、前記回線状況の測定の実行を制御する、ことを特徴とする請求項１乃至７のいずれか１項に記載の移動端末。
【請求項１３】
所定の報告イベントの発生に応答して、前記回線状況の測定結果の基地局への報告を行う、ことを特徴とする請求項１２記載の移動端末。
【請求項１４】
前記位置情報の取得の可否に基づく制御を行うか否かの情報は、前記基地局に関する無線パラメータの調整を行う管理サーバ側で設定され、前記管理サーバから基地局に通知され、前記基地局から、前記測定指示として送信される、ことを特徴とする請求項９又は１２記載の移動端末。
【請求項１５】
基地局からの測定指示にしたがって、回線状況の測定を行い、
予め定められた所定のイベントの発生に応答して、自端末の位置情報の取得を試み、
前記位置情報の受信品質が所定の閾値よりも高いか低いかに応じて、発生したイベント情報の基地局への報告を制御する、ことを特徴とする請求項１乃至７のいずれか１項に記載の移動端末。
【請求項１６】
予め定められた所定のイベントが発生した時、自端末の位置情報の取得を試み、
予め定められた所定時間内に前記位置情報が取得できたか否かに応じて、発生したイベント情報の基地局への報告を制御する、ことを特徴とする請求項１乃至７のいずれか１項に記載の移動端末。
【請求項１７】
移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、  前記周囲環境情報に基づき、
前記移動端末での回線状況の測定、及び／又は、前記回線状況の測定の基地局への報告、
の実行を制御する、ことを特徴とする移動端末。
【請求項１８】
ある周囲環境に対して、前記回線状況の測定及び前記回線状況の測定の基地局への報告を許可し、
他の周囲環境に対して、前記回線状況の測定及び前記回線状況の測定の基地局への報告を不許可とする制御を行う、ことを特徴とする請求項１７記載の移動端末。
【請求項１９】
前記周囲環境情報を、前記回線状況の測定結果の報告の一部として基地局に送信する、ことを特徴とする請求項１７又は１８記載の移動端末。
【請求項２０】
基地局から前記回線状況の測定指示を受けた場合、ＧＰＳ位置情報の取得を試み、
ＧＰＳ位置情報の推定に成功した場合、回線状況の測定を行い、前記回線状況の測定結果を基地局に報告する、ことを特徴とする請求項１７記載の移動端末。
【請求項２１】
基地局から前記回線状況の測定指示を受けた場合、ＧＰＳ位置情報の取得を試み、
ＧＰＳ位置情報の推定に不成功の場合、回線状況の測定を行い、前記回線状況の測定結果を基地局に報告する、ことを特徴とする請求項１７記載の移動端末。
【請求項２２】
現在サービスを提供しているサービングセルの無線回線障害時、セルの探索を行い、ＧＰＳ位置情報の取得を試み、
ＧＰＳ位置情報の取得に成功した場合、周辺セルの回線状況の測定を行い、
他セルとの再接続時、前記他のセルの基地局に、前記回線状況の測定結果の報告を行う、ことを特徴とする請求項１７記載の移動端末。
【請求項２３】
前記報告とともに、ＧＰＳ位置情報の取得に要した時間を基地局に送る、ことを特徴とする請求項２２記載の移動端末。
【請求項２４】
基地局と移動端末とを含む無線通信システムであって、
前記移動端末は、前記基地局とは別の所定の無線送信源からの無線信号の受信状況に応じて、
前記移動端末での回線状況の測定、及び／又は、前記回線状況の測定結果の前記基地局への報告、
の実行を制御する、ことを特徴とする無線通信システム。
【請求項２５】
前記所定の無線送信源からの無線信号は、前記移動端末での前記無線信号の受信状況に基づき、前記移動端末が屋外か屋内であるかを判別可能とするものである、ことを特徴とする請求項２４記載の無線通信システム。
【請求項２６】
前記所定の無線送信源からの無線信号の受信状況が、
前記無線信号を受信し該信号から所定の情報を取得するのに要する時間と、
前記無線信号の受信品質又は強度と、
の少なくとも一つを含む、ことを特徴とする請求項２４又は２５記載の無線通信システム。
【請求項２７】
基地局と移動端末とを含む無線通信システムであって、
前記移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記移動端末は、前記周囲環境情報に基づき、
前記移動端末での回線状況の測定、及び／又は、前記回線状況の測定の前記基地局への報告、
の実行を制御する、ことを特徴とする無線通信システム。
【請求項２８】
前記移動端末において、ある周囲環境に対して前記回線状況の測定及び前記回線状況の基地局への報告を許可し、
他の周囲環境に対して前記回線状況の測定及び前記回線状況の基地局への報告を不許可とする制御が行われる、ことを特徴とする請求項２７記載の無線通信システム。
【請求項２９】
前記移動端末は、前記周囲環境情報を、前記回線状況の測定結果の報告の一部として前記基地局に送信する、ことを特徴とする請求項２７又は２８記載の無線通信システム。
【請求項３０】
前記移動端末は、前記基地局から測定指示を受けた場合、ＧＰＳ位置情報の取得を試み、
ＧＰＳ位置情報の推定に成功した場合、回線状況の測定を行い、前記回線状況の測定結果を前記基地局に報告する、ことを特徴とする請求項２７記載の無線通信システム。
【請求項３１】
前記移動端末は、前記基地局から測定指示を受けた場合、ＧＰＳ位置情報の取得を試み、
ＧＰＳ位置情報の推定に不成功の場合、回線状況の測定を行い、前記回線状況の測定結果を前記基地局に報告する、ことを特徴とする請求項２７記載の無線通信システム。
【請求項３２】
前記移動端末は、現在サービスを提供しているサービングセルの無線回線障害時、セルの探索を行い、ＧＰＳ位置情報の取得を試み、
ＧＰＳ位置情報の取得に成功した場合、周辺セルの回線状況の測定を行い、
他セルとの再接続時、前記他のセルの基地局に、前記回線状況の測定結果の報告を行う、ことを特徴とする請求項２７記載の無線通信システム。
【請求項３３】
前記移動端末は、前記報告とともに、ＧＰＳ位置情報の取得に要した時間を前記基地局に送る、ことを特徴とする請求項３２記載の無線通信システム。
【請求項３４】
移動端末が、基地局とは別の所定の無線送信源からの無線信号の受信状況に応じて、
前記移動端末での回線状況の測定、及び／又は、前記回線状況の測定結果の基地局への報告、
の実行を制御する、ことを特徴とする無線通信方法。
【請求項３５】
前記所定の無線送信源は、前記移動端末での前記無線信号の受信状況に基づき、前記移動端末が屋外か屋内であるかを判別可能とするものである、ことを特徴とする請求項３４記載の無線通信方法。
【請求項３６】
前記所定の無線送信源からの無線信号の受信状況が、
前記無線信号を受信し該信号から所定の情報を取得するのに要する時間と、
前記無線信号の受信品質又は強度と、
の少なくとも一つを含む、ことを特徴とする請求項３４又は３５記載の無線通信方法。
【請求項３７】
前記報告に、前記回線状況の測定結果と、前記所定の無線送信源からの無線信号の受信状況に関する情報とを含めて基地局に送信する、ことを特徴とする請求項３４乃至３６のいずれか１項に記載の無線通信方法。
【請求項３８】
前記所定の無線送信源がＧＰＳ（Ｇｌｏｂａｌ  Ｐｏｓｉｔｉｏｎｉｎｇ  Ｓｙｓｔｅｍ）衛星、地上デジタルテレビジョン放送、アナログテレビジョン放送、ラジオ放送のいずれかを含む、請求項３４乃至３７のいずれか１項に記載の無線通信方法。
【請求項３９】
前記移動端末において、予め定められた所定のイベント発生時、自端末の位置情報を取得し、所定時間内に前記位置情報を取得できた場合、前記報告として、前記位置情報の取得に要した時間と、発生イベント情報とを基地局に送信する、ことを特徴とする請求項３４乃至３８のいずれか１項に記載の無線通信方法。
【請求項４０】
前記移動端末において、基地局から測定指示に、位置情報の取得の可否に基づく制御を行うことが指定されている場合、自端末の位置情報の取得を試み、予め定められた所定時間内に前記位置情報が取得できたか否かに応じて、回線状況の測定の実行を制御する、ことを特徴とする請求項３４乃至３８のいずれか１項に記載の無線通信方法。
【請求項４１】
前記移動端末において、予め定められた所定のイベントの発生に応答して、前記測定結果の基地局への報告を行う、ことを特徴とする請求項４０記載の無線通信方法。
【請求項４２】
前記移動端末において、基地局からの測定指示を受けた場合、回線状況の測定を行い、
予め定められた所定のイベントの発生に応答して、自端末の位置情報の取得を試み、
予め定められた所定時間内に前記位置情報が取得できたか否かに応じて、発生したイベント情報の基地局への報告を制御する、ことを特徴とする請求項３４乃至３８のいずれか１項に記載の無線通信方法。
【請求項４３】
前記移動端末において、基地局からの測定指示を受けた場合、前記測定指示に位置情報の取得の可否に基づく制御を行うことが指定されている場合、自端末の位置情報の取得を試み、
前記位置情報の受信品質が予め定められた所定の閾値よりも高いか低いかに応じて、回線状況の測定の実行を制御する、ことを特徴とする請求項３４乃至３８のいずれか１項に記載の無線通信方法。
【請求項４４】
前記移動端末において、所定の報告イベントの発生に応答して、前記測定結果の基地局への報告を行う、ことを特徴とする請求項４３記載の無線通信方法。
【請求項４５】
前記移動端末において、基地局からの測定指示を受けた場合、回線状況の測定を行い、
予め定められた所定のイベントの発生に応答して、自端末の位置情報の取得を試み、
前記位置情報の受信品質が所定の閾値よりも高いか低いかに応じて、発生したイベント情報の基地局への報告を制御する、ことを特徴とする請求項３４乃至３８のいずれか１項に記載の無線通信方法。
【請求項４６】
前記移動端末において、予め定められた所定のイベントが発生した時、自端末の位置情報の取得を試み、
予め定められた所定時間内に前記位置情報が取得できたか否かに応じて、発生したイベント情報の基地局への報告を制御する、ことを特徴とする請求項３４乃至３８のいずれか１項に記載の無線通信方法。
【請求項４７】
移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記移動端末において、回線状況の測定、及び／又は、前記回線状況の測定の基地局への報告、の実行を、前記周囲環境情報に基づき制御する、ことを特徴とする無線通信方法。
【請求項４８】
前記移動端末において、ある周囲環境に対して前記測定及び報告を許可し、他の周囲環境に対して前記測定及び報告を不許可とする制御が行われる、ことを特徴とする請求項４７記載の無線通信方法。
【請求項４９】
前記移動端末が、前記周囲環境情報を測定結果の報告の一部として基地局に送信する、ことを特徴とする請求項４７記載の無線通信方法。
【請求項５０】
前記移動端末において、基地局から測定指示を受けた場合、ＧＰＳ位置情報の取得を試み、
ＧＰＳ位置情報の推定に成功した場合、回線状況の測定を行い、測定結果を報告する、ことを特徴とする請求項４７記載の無線通信方法。
【請求項５１】
前記移動端末において、基地局から測定指示を受けた場合、ＧＰＳ位置情報の取得を試み、
ＧＰＳ位置情報の推定に不成功の場合、回線状況の測定を行い、測定結果を報告する、ことを特徴とする請求項４７記載の無線通信方法。
【請求項５２】
前記移動端末において、現在サービスを提供しているサービングセルの無線回線障害時、セルの探索を行い、
ＧＰＳ位置情報の取得を試み、ＧＰＳ位置情報の取得に成功した場合、周辺セルの回線状況の測定を行い、
他セルとの再接続時、前記他のセルの基地局に、前記回線状況の測定結果の報告を行う、ことを特徴とする請求項４７記載の無線通信方法。
【請求項５３】
前記移動端末は、前記報告とともに、ＧＰＳ位置情報の取得に要した時間を前記基地局に送る、ことを特徴とする請求項５２記載の無線通信方法。
【請求項５４】
基地局とは別の所定の無線送信源から送信される信号の受信状況に応じて、
自端末での回線状況の測定、及び／又は、
前記回線状況の測定結果の基地局への報告、
の実行を制御する処理を、移動端末を構成するコンピュータに実行させるプログラム。
【請求項５５】
移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記移動端末での回線状況の測定、及び／又は前記回線状況の測定の基地局への報告の実行を、前記周囲環境情報に基づき制御する、処理を、移動端末を構成するコンピュータに実行させるプログラム。
【請求項５６】
請求項５５記載のプログラムにおいて、
前記周囲環境情報を測定結果の報告の一部として基地局に送信する処理を、前記コンピュータに実行させるプログラム。
【請求項５７】
請求項５５記載のプログラムにおいて、
基地局から測定指示を受けた場合、ＧＰＳ位置情報の取得を試み、
ＧＰＳ位置情報の推定に成功した場合、回線状況の測定を行い、前記回線状況の測定結果を報告する処理を、前記コンピュータに実行させるプログラム。
【請求項５８】
請求項５５記載のプログラムにおいて、
基地局から測定指示を受けた場合、ＧＰＳ位置情報の取得を試み、
ＧＰＳ位置情報の推定に不成功の場合、回線状況の測定を行い、前記回線状況の測定結果を報告する処理を、前記コンピュータに実行させるプログラム。
【請求項５９】
請求項５５記載のプログラムにおいて、
現在サービスを提供しているサービングセルの無線回線障害時、セルの探索を行い、
ＧＰＳ位置情報の取得を試み、
ＧＰＳ位置情報の取得に成功した場合、周辺セルの回線状況の測定を行い、
他セルとの再接続時、前記他のセルの基地局に、前記回線状況の測定結果の報告を行う、処理を、前記コンピュータに実行させるプログラム。
【請求項６０】
移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記移動端末において、回線状況の測定、及び／又は、前記回線状況の測定の基地局への報告の実行を、前記周囲環境情報に基づき制御するように、前記移動端末に対して指示する、ことを特徴とする基地局。
【請求項６１】
基地局とは別の所定の無線送信源からの無線信号であって、移動端末での前記無線信号の受信状況に基づき、前記移動端末が屋外か屋内であるかを判別可能とする無線信号の受信状況に応じて、回線状況の測定、及び／又は、前記回線状況の測定結果の報告、の実行を制御するように、基地局を介して、移動端末に対して測定指示を行い、
前記移動端末からの測定結果の報告を基地局を介して受け、前記測定結果の報告に基づき、屋外と屋内を区別して、無線パラメータの最適化を行う、ことを特徴とする管理サーバ。
【請求項６２】
基地局との間の回線状況の測定を制御する測定手段と、
前記基地局とは別の所定の無線送信源からの無線信号を受信する受信手段と、
前記基地局への測定結果報告データを作成して報告を行う手段と、
を備え、
前記基地局からの測定指示により設定される一のモードにおいて、前記測定手段による回線状況の測定の実行を、前記受信手段による前記所定の無線送信源からの無線信号の受信状況にしたがって制御し、
前記基地局へ測定結果を報告する契機となる所定のイベントが発生すると、前前記基地局への報告を行い、
前記報告は、
前記回線状況に関する情報、又は、
前記回線状況に関する情報と、前記無線送信源からの無線信号の受信状況に関する情報及び／又は前記無線信号から取得された情報と、
を含む、ことを特徴とする移動端末。
【請求項６３】
基地局との間の回線状況の測定を制御する測定手段と、
前記基地局とは別の所定の無線送信源からの無線信号を受信する受信手段と、
前記基地局への測定結果報告データを作成して報告を行う手段と、
を備え、
前記基地局からの測定指示を受けると、前記測定手段による回線状況の測定を実行し、
前記測定ののち、前記基地局へ測定結果を報告する契機となる所定のイベントが発生すると、前記受信手段により前記所定の無線送信源からの無線信号を受信し、前記受信手段による前記所定の無線送信源からの無線信号の受信状況にしたがって、基地局への報告の行を制御し、
前記報告は、
前記回線状況に関する情報、又は、
前記回線状況に関する情報と、前記無線送信源からの無線信号の受信状況に関する情報及び／又は前記無線信号から取得された情報と、
を含む、ことを特徴とする移動端末。
【請求項６４】
前記所定の無線送信源からの無線信号がＧＰＳ（Ｇｌｏｂａｌ  Ｐｏｓｉｔｉｏｎｉｎｇ  Ｓｙｓｔｅｍ）信号であり、
所定の時間内にＧＰＳ位置情報が取得できた場合、あるいは、ＧＰＳ電界強度が所定の閾値以上のとき、基地局への報告を実行し、
前記報告は、
前記回線状況に関する情報、又は、
前記回線状況に関する情報と、ＧＰＳ位置情報又はＧＰＳ位置情報取得に要した時間を含む、ことを特徴とする請求項６３記載の移動端末。
【請求項６５】
基地局との間の回線状況の測定を制御する測定手段と、
前記基地局とは別の所定の無線送信源からの無線信号を受信する受信手段と、
前記基地局への測定結果報告データを作成して報告を行う手段と、
を備え、
前記基地局からの測定指示により設定される一のモードにおいて、前記測定手段による回線状況の測定の実行を、前記受信手段による前記所定の無線送信源からの無線信号の受信状況にしたがって制御し、
前記基地局へ測定結果を報告する契機となる所定のイベントが発生すると、前記基地局への報告を行い、前記報告は、
前記回線状況に関する情報、又は、
前記回線状況に関する情報と、前記無線送信源からの無線信号の受信状況に関する情報及び／又は前記無線信号から取得された情報と、
を含む、ことを特徴とする移動端末。
【請求項６６】
基地局とは別の所定の無線送信源からの無線信号を受信する受信手段と、
前記基地局への報告を行う手段と、
を備え、
前記基地局へ測定結果を報告する契機となる所定のイベントが発生すると、前記受信手段により前記所定の無線送信源からの無線信号を受信し、
前記受信手段による前記所定の無線送信源からの無線信号の受信状況に応じて、前記基地局への報告を制御する、ことを特徴とする移動端末。
【発明の詳細な説明】
【技術分野】
【０００１】
（関連出願についての記載）
本願は、先の日本特許出願２００７−２６５７０９号（２００７年１０月１１日出願）の優先権を主張するものであり、前記先の出願の全記載内容は、本書に引用をもって繰込み記載されているものとみなされる。
本発明は、無線通信システムに関し、特に、移動局で取得した回線状況の監視結果の基地局への報告を制御する無線システム及び、方法、移動局、プログラム、基地局、管理サーバに関する。
【背景技術】
【０００２】
近時、携帯電話の普及、サービスの多様化に伴い、移動体通信システムの保守や最適化のための調整の低コスト化が要請されている。移動体通信システムの保守や最適化のための調整対象としては、例えば基地局の送信電力やアンテナのチルト角等（これらは「無線パラメータ」とも呼ばれる）がある（特許文献１参照）。【０００３】
通信システムの保守調整は、一般に、無線ネットワーク設計シミュレータを用いた評価検討に基づいて行われる。そして、シミュレーション精度を高めるために、無線通信システムのサービスエリアにおいて実測された受信状況情報と、その実測値が測定された位置情報とが設計シミュレータに入力される。例えばＣＤＭＡ（Ｃｏｄｅ  Ｄｉｖｉｓｉｏｎ  Ｍｕｌｔｉｐｌｅ  Ａｃｃｅｓｓ）方式の無線通信システムにおいては、受信状況情報として、共通パイロットチャネルの受信品質や受信強度等が用いられる。【０００４】
従来、受信状況情報の測定は専用の測定車や専門の測定チームにより行われるほか、ユーザの所有する一般の移動無線端末に受信状況情報を測定させ、その測定結果を収集するという方法がある。特許文献１には、移動無線端末が、ユーザ通信の回線状況を監視しており、回線状況が所定の条件を満たしたことをトリガーとして検出し、移動無線端末は、トリガーが検出されると、無線信号の受信状況、および自身の位置を取得し、受信状況と前記位置を含む実測情報を管理サーバ（情報収集サーバ）に送り、該管理サーバは移動無線端末から受信した実測情報を内部に記録する構成が開示されている。【０００５】
【特許文献１】特開２００４−１６６０５６号公報
【非特許文献１】“ＵＥ  ａｓｓｉｓｔａｎｃｅ  ｆｏｒ  ｓｅｌｆ−ｏｐｔｉｍｉｚｉｎｇ  ｏｆ  ｎｅｔｗｏｒｋ”，  ３ＧＰＰ  ＴＳＧ−ＲＡＮ  ＷＧ２  Ｒ２−０７２４３２  、２５−２９  Ｊｕｎｅ  ２００７
【発明の開示】
【発明が解決しようとする課題】
【０００６】
特許文献１、非特許文献１の開示事項は、本書に引用をもって繰り込み記載されているものとする。以下の分析は、本発明によって与えられたものである。【０００７】
特許文献１の記載に基づき、移動局が、受信状況の監視結果を基地局を介して管理サーバに報告するシステムについて分析する。【０００８】
基地局は、管理サーバの指示に基づいて、移動局に測定制御通知（周期型、イベント型、オン・デマンド型）を送信する。オン・デマンド型の場合、測定制御通知を受信すると移動局は測定を実施する。【０００９】
周期型の場合、移動局は、測定制御通知に応じて、一定周期で測定を実施する。【００１０】
イベント型で報告を行う場合、移動局で監視する回線状況に、例えば無線回線障害（Ｒａｄｉｏ  Ｌｉｎｋ  Ｆａｉｌｕｒｅ）、ハンドオーバ障害（ＨＯ  Ｆａｉｌｕｒｅ）、スループット低下、パイロット品質の低下等、予め定められた所定の条件に該当し、トリガーとなるイベントが発生すると、移動局は当該イベントの発生を、基地局に報告する。【００１１】
移動局が報告する監視結果としては、例えば、受信状況、および自身の位置、イベント型の場合、イベントの種別が送信される。受信状況と自身の位置情報としては、例えば現在サービスを提供しているセル（「自セル」ともいう）及び周辺セルのパイロット受信品質、ＧＰＳ（Ｇｌｏｂａｌ  Ｐｏｓｉｔｉｏｎｉｎｇ  Ｓｙｓｔｅｍ；全世界測位システム）位置情報が用いられる。さらに、一時的な移動局ＩＤ情報（ＴＭＳＩ（ｔｅｍｐｏｒａｒｙ  ｍｏｂｉｌｅ  ｓｕｂｓｃｒｉｂｅｒ  ｉｄｅｎｔｉｆｉｃａｔｉｏｎ）；Ｌ３（ＲＲＣ）での識別子）、時刻情報等を当該報告に含むようにしてもよい。移動局が回線状況の監視結果を基地局に送信する際、無線回線障害又は基地局障害等により、通信不能の場合、回線接続が再確立して通信可能となったときに、移動局側にバッファされていた報告が、基地局に送信されることになる。なお、ＧＰＳ衛星からの航法信号には、Ｐコード（Ｐｒｅｃｉｓｏｎ  Ｃｏｄｅ）、Ｃ／Ａコード（Ｃｌｅａｒ  ａｎｄ  Ａｃｑｕｉｓｉｔｉｏｎ  Ｃｏｄｅ）があり（Ｃ／Ａコードだけが民間に公開されている）、使用周波数はＬ１の１５７５．４２、Ｌ２の１２２７．６０ＭＨｚの２波が用いられており、Ｌ１ではＰコードとＣ／Ａコード、Ｌ２では、Ｐコードが送られ、スペクトラム拡散方式が用いられる。３基のＧＰＳ衛星からの信号を受信しＧＰＳ受信機の位置（緯度、経度）を算出し、４基以上のＧＰＳ衛星からの信号でＧＰＳ受信機の高度（海抜）を算出できる。  【００１２】
基地局は、移動局からの報告を受信すると、該報告を、管理サーバに送信する。【００１３】
管理サーバは報告情報を収集し、例えば、電力、アンテナのチルト角等、無線パラメータの再設定を行う。【００１４】
上記分析を行ったシステムに関して本願発明者らは、以下の課題を知見した。【００１５】
屋内の通信品質劣化情報を取り除かずに屋外の測定結果と混在した状態で、屋外の無線パラメータの最適化を高精度に行うことは困難である。【００１６】
したがって、屋外と屋内を区別して無線パラメータの最適化を実現可能とすることが望まれる。【００１７】
また、報告を行った移動局の環境に関する情報を用いて行う無線パラメータの最適化性能を高めることが望まれる。【００１８】
本発明は、上記知見に基づき創案されたものであって、その目的は、屋外と屋内等、場所、環境に応じて、無線パラメータの最適化を実現可能とするシステム、方法、プログラム、移動端末、基地局、管理サーバを提供することにある。
【課題を解決するための手段】
【００１９】
本願で開示される発明は、前記課題を解決するため、概略以下の構成とされる。【００２０】
本発明の１つのアスペクト（側面）によれば、基地局とは別の所定の無線送信源からの無線信号の受信状況に応じて、自端末での回線状況の測定、及び／又は、回線状況の測定結果の基地局への報告、の実行を制御する、移動端末が提供される。【００２１】
本発明の他の側面によれば、移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記周囲環境に基づき、前記移動端末での回線状況の測定、及び／又は前記測定の基地局への報告の実行を制御する移動端末が提供される。【００２２】
本発明によれば、基地局と移動端末とを含む無線通信システムであって、
前記移動端末は、前記基地局とは別の所定の無線送信源からの無線信号の受信状況に応じて、
前記移動端末による回線状況の測定、及び／又は、前記回線状況の測定結果の前記基地局への報告、
の実行を制御する、無線通信システムが提供される。【００２３】
あるいは、本発明によれば、基地局と移動端末とを含む無線通信システムであって、前記移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、前記移動端末は、前記周囲環境に基づき、前記移動端末による回線状況の測定、及び／又は前記測定の前記基地局への報告の実行を制御する無線通信システムが提供される。【００２４】
本発明によれば、移動端末が、基地局とは別の所定の無線送信源からの無線信号の受信状況に応じて、移動端末による回線状況の測定、及び／又は、前記回線状況の測定結果の基地局への報告、の実行を制御する、無線通信方法が提供される。【００２５】
本発明に係る方法において、移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記移動端末による回線状況の測定、及び／又は前記回線状況の測定の基地局への報告の実行を、前記周囲環境に基づき制御するようにしてもよい。【００２６】
本発明によれば、基地局とは別の所定の無線送信源から送信される信号の受信状況に応じて、自端末での回線状況の測定、及び／又は、回線状況の測定結果の基地局への報告、の実行を制御する処理を、移動端末を構成するコンピュータに実行させるプログラムが提供される。【００２７】
本発明によれば、移動端末で受信されるＧＰＳ電波の受信品質又はＧＰＳ位置情報の取得に要する時間、及び／又は、所定のテレビ放送又はラジオ放送の受信品質を、前記移動端末の周囲環境情報として用い、前記移動端末において、回線状況の測定、及び／又は前記測定の基地局への報告の実行を、前記周囲環境に基づき制御するように、前記移動端末に対して指示する基地局が提供される。【００２８】
あるいは、本発明によれば、基地局とは別の所定の無線送信源からの無線信号であって、移動端末での前記無線信号の受信状況に基づき、前記移動端末が屋外か屋内であるかを判別可能とする無線信号の受信状況に応じて、回線状況の測定、及び／又は、測定結果の報告の実行を制御するように、基地局を介して、移動端末に対して測定指示を行い、前記移動端末からの測定結果の報告を基地局を介して受け、前記測定結果の報告に基づき、屋外と屋内を区別して、無線パラメータの最適化を行う管理サーバが提供される。
【発明の効果】
【００２９】
本発明によれば、屋外又は屋内等、場所、環境に応じて、測定や報告を選択的に行うことができるため、場所、環境に応じた、無線パラメータの最適化を実現可能としている。
【図面の簡単な説明】
【００３０】
【図１】本発明の１つの態様を説明する図である。
【図２】本発明の一実施例のシステム構成を示す図である。
【図３】本発明の一実施例の基地局の構成を示す図である。
【図４】本発明の一実施例の移動局の構成を示す図である。
【図５】本発明の一実施例の管理サーバの構成を示す図である。
【図６】本発明の一実施例の制御を説明する流れ図である。
【図７】本発明の第２の実施例の制御を説明する流れ図である。
【図８】本発明の第３の実施例の制御を説明する流れ図である。
【図９】本発明の第４の実施例の制御を説明する流れ図である。
【図１０】本発明の第５の実施例の制御を説明する流れ図である。
【図１１】ＳＯＮ測定報告のシグナリングフローを示す図である。
【図１２】（Ａ）乃至（Ｄ）はサービングセル品質Ｑ１とＧＰＳ電波電界強度Ｑ２と閾値Ｔ１、Ｔ２の大小関係を説明する図である。
【図１３】屋外ＵＥと屋内ＵＥのＧＰＳ位置取得とＳＯＮ測定のシーケンスを説明する図である。
【図１４】屋外ＵＥと屋内ＵＥのＧＰＳ位置取得とＳＯＮ測定のシーケンスを説明する図である。
【図１５】ハンドオーバの場合のＳＯＮ測定を説明する図である。
【図１６】屋内と屋外でのサービングセル品質Ｑ１とＧＰＳ電波電界強度Ｑ２の推移の一例を示す図である。
【符号の説明】
【００３１】
１  ゲートウェイ
２、２’、２”、２−１〜２−ｎ  基地局
３  移動局
４  管理サーバ
５−１〜５−ｎ  セル
６  セル群（サービスエリア）
１０  ＧＰＳ衛星
２０、３０−１、３０−２  アンテナ
２１、３１  無線送受信部
２２、３２  受信データ処理部
２３、３３  送信データ処理部
２４  Ｓ１送受信部
２５  測定指示生成部
２６  報告指示生成部
３４  バッファ部
３５  回線接続制御部
３６  ＧＰＳ受信部  
３７  測定制御部
３７−１  閾値記憶部
３７−２  タイマー
３８  測定データ格納部
３９  測定データ報告制御部
４１  測定指示制御部  
４２  データ格納部
４３  送受信部
４４  パラメータ最適化計算部
４５  パラメータ再設定指示部
【発明を実施するための最良の形態】
【００３２】
本発明の実施の形態を説明する。図１は、本発明の一実施形態の原理を説明するための図である。本実施形態では、移動端末（移動局）３は、環境情報（ＧＰＳ情報）に基づき回線状況の測定、及び／又は測定報告の制御を行う。【００３３】
回線状況として、回線エラー、回線障害等、当該回線又は別回線でのパイロット信号の受信品質（受信レベルの低下等）で判断される回線の状態を含む。【００３４】
本実施形態において、移動局３は、ＧＰＳ衛星１０からの電波を受信してＧＰＳ位置情報を取得する手順を周期的に繰り返す。【００３５】
移動局３において、ＧＰＳ位置情報の取得に要する時間が所定値以上の場合には、屋内と判断し、例えば回線状況の測定を中断する。あるいは、測定の報告を中断する。本実施形態によれば、屋外での測定結果の報告が選択的に行われる。【００３６】
あるいは、移動局３において、ＧＰＳ電波の受信レベルが予め定められた閾値以下の場合には、屋内と判断し、例えば回線状況の測定を中断する。あるいは、測定の報告を中断する。本実施形態によれば、屋外での測定結果の報告が選択的に行われる。【００３７】
本発明の別の実施形態において、移動局３において、ＧＰＳ位置情報の取得に要する時間が所定値よりも短い場合には、屋外と判断し、例えば回線状況の測定を中断する。あるいは、測定の報告を中断する。本実施形態によれば、屋内での測定結果の報告が選択的に行われる。【００３８】
あるいは、移動局３において、ＧＰＳ電波の受信レベルが予め定められた閾値を越えている場合には、屋外と判断し、例えば回線状況の測定を中断する。あるいは、測定の報告を中断する。本実施形態によれば、屋内での測定結果の報告が選択的に行われる。【００３９】
本発明の別の実施形態において、移動局は、無線信号源として、ＧＰＳ電波以外に、例えば地上デジタルＴＶ放送、アナログＴＶ放送、ラジオ放送等の受信レベル、受信品質に基づいて、測定、報告を制御するようにしてもよい。この場合、移動局は、地上デジタルＴＶ放送、アナログＴＶ放送、ラジオ放送の受信機を備える。なお、無線送信源は、基地局２よりも低い周波数を用いて信号を送信してもよい。【００４０】
本発明によれば、ＧＰＳ位置情報が取得できるか否かで屋内・屋外をほぼ識別でき、例えばＧＰＳ位置情報が取得できる屋外について選択的に測定や報告を行うことが可能となり、これにより、屋内の通信品質劣化情報を除去し、屋外の通信品質を効率的に改善できる。本発明によれば、屋外又は屋内を区別して無線パラメータの最適化を実現可能としている。また、本発明によれば、測定の報告を行った移動局の環境情報を用いて行う無線パラメータの最適化性能を高めることができる。
【実施例】
【００４１】
図２は、本発明の一実施例のシステム構成を示す図である。図２を参照すると、本実施例のシステムは、複数の基地局（２−１、２−２、２−３）と、複数の基地局に接続されるゲートウェイ（ＧＷ）１と、ゲートウェイ１に接続される管理サーバ４とを備えている。【００４２】
基地局（２−１、２−２、２−３）は、管理サーバ４からの測定指示を受け、配下の移動局３に対して測定指示を通知する。特に制限されないが、測定指示には、周期型、イベント型、オン・デマンド型がある。周期型では、移動局３は、周期的に測定を行い測定結果を報告する。オン・デマンド型の場合、測定指示を受けた時点での自セル及び周辺セルのパイロット受信品質、ＧＰＳ位置情報、一時的な移動局ＩＤ情報（ＴＭＳＩ）、時刻等を報告する。イベント型の場合、移動局３が基地局に送信する報告情報として、予め定められたイベント（無線回線障害等）の発生時、該発生したイベントの種類、自セル及び周辺セルのパイロット受信品質、ＧＰＳ位置情報、一時的な移動局ＩＤ情報（ＴＭＳＩ）、時刻等が含まれる。【００４３】
本実施例では、ＧＰＳ位置情報の取得に要する時間、又はＧＰＳ電波の受信レベルに応じて回線状況の測定、測定結果の報告を制御する。あるいは、地上デジタル、アナログＴＶ放送、ラジオ放送の受信品質に基づいて、回線状況の測定、測定結果の報告を制御する。【００４４】
以下では、図２に示したシステムにおける基地局、移動局、管理サーバについて、図３乃至図５を参照して説明する。なお、以下で説明する構成は、理解の容易化のために、機能分割してブロックにて図式化したものであり、本発明は、以下の構成に限定されるものでないことは勿論である。【００４５】
図３は、基地局の構成の一例を示す図である。図３を参照すると、アンテナ２０と、無線送受信部２１と、受信データ処理部２２と、送信データ処理部２３と、Ｓ１送受信部２４と、測定指示生成部２５と、報告指示生成部２６を備えている。各要素はそれぞれ概略以下の機能を有する。【００４６】
送信データ処理部２３は、送信データを、エラー訂正符号化、データ変調を行い（ＣＤＭＡの場合、拡散符号で拡散したのち）、アナログ信号に変換する。無線送受信部２１の送信部（不図示）は、送信データ処理部２３からの送信データを変調、周波数変換したＲＦ信号を電力増幅してデュプレクサ（不図示）からアンテナ２０に供給する。アンテナ２０で受信した信号は、デュプレクサ（不図示）を介して無線送受信部２１の受信部（不図示）に送られ、受信ＲＦ信号を増幅・周波数変換し復調して受信データ処理部２２に供給する。【００４７】
受信データ処理部２２は、受信信号（例えばアナログ信号）をデジタル信号に変換し（ＣＤＭＡの場合、受信信号の拡散符号と同一の拡散符号で逆拡散しレイク合成等したのち）、データ復調、エラー訂正復号を行う。また、受信データ処理部２２は、受信データのうち監視結果の報告情報をＳ１送受信部２４からゲートウェイ（図２の１)を介して管理サーバ（図２の４）に送信する。【００４８】
測定指示生成部２５は、移動局に送信する測定指示を生成する。例えば測定指示生成部２５は、管理サーバ４（後に図５を参照して説明される）から発行された測定指示（少なくとも測定対象のセルと測定項目を含む）に基づいて、測定対象となってセルにおいて無線回線を設定した移動局に対して測定指示を生成する。【００４９】
報告指示生成部２６は、測定結果の報告指示を、送信データ処理部２３、無線送受信部２１を介して、移動局に報知する。【００５０】
なお、基地局では、移動局で受信するＧＰＳ電波等無線信号源の無線周波数よりも低い周波数帯を用いてもよい。【００５１】
図４は、移動局の構成の一例を示す図である。図４を参照すると、移動局は、無線送受信部３１と、受信データ処理部３２と、送信データ処理部３３と、バッファ部３４と、回線接続制御部３５と、ＧＰＳ受信部３６と、測定データ格納部３８と、測定データ報告制御部３９と、を備えている。各要素はそれぞれ概略以下の機能を有する。バッファ部３４は、送信データ、受信データを蓄積する。なお、図３では、説明の簡単のため、バッファ部３４を１つの構成としているが、バッファ部３４は、送信データバッファ、受信データバッファとして別々の構成としてもよいことは勿論である。【００５２】
バッファ部３４に蓄積された送信データは、送信データ処理部３３でエラー訂正符号化、データ変調し（ＣＤＭＡの場合、拡散符号で拡散したのち）、アナログ信号に変換する処理が行われる。無線送受信部３１の送信部（不図示）は、送信データ処理部３３からの送信データを変調し周波数変換したＲＦ信号を電力増幅してデュプレクサ（不図示）からアンテナ３０−１に供給する。無線送受信部３１の受信部（不図示）は、アンテナ３０−１からの信号をデュプレクサ（不図示）を介して受け、受信ＲＦ信号を増幅・周波数変換し復調して受信データ処理部３２に供給する。【００５３】
受信データ処理部３２は、受信信号をデジタル信号に変換し（ＣＤＭＡの場合、受信信号の拡散符号と同一の拡散符号で逆拡散しレイク（Ｒａｋｅ）合成等したのち）、データ復調、エラー訂正復号を行い、バッファ部３４に格納する。バッファ部３４に一時的に蓄積された受信データは、読み出されてそれぞれの用途に利用される。【００５４】
回線接続制御部３５は、基地局との間で、回線接続の確立、タイムアウト等エラー発生時における再送制御、接続維持、切断等の制御を行う。【００５５】
ＧＰＳ受信部３６は、ＧＰＳ衛星（図１の１０）からの信号をアンテナ３０−２で受信し位置情報（経度、緯度、高さ）を算出する。【００５６】
測定制御部３７は、無線送受信部３１で受信した測定指示（この測定指示は基地局から送信される）に基づき、受信状況等の回線状況の測定（監視）を行い、測定結果（監視結果）を、測定データ格納部３８に格納する。例えば、測定結果（監視結果）と、ＧＰＳ受信部３６で取得された移動局の位置情報、移動局ＩＤ情報（ＴＭＳＩ）、時刻情報等を、後の報告のために対応させて記憶しておく。測定制御部３７は、回線状況の測定として、例えばパイロット信号の受信レベル（受信電力）、あるいは受信電力を干渉との比（Ｅｃ／Ｉｏ）を受信電力品質として求めてもよい。【００５７】
また、測定制御部３７は、ＧＰＳ受信部３６におけるＧＰＳ位置情報取得に要する時間が所定時間との大小、あるいは、ＧＰＳ信号受信レベルと閾値との大小関係に基づき、測定の実行の有無の制御、報告実行の有無を制御する。【００５８】
閾値記憶部３７−１には、例えばＧＰＳ電波の電界強度を比較するための閾値が格納される。また、タイマー３７−２のタイムアウト時間が閾値情報として格納される。これらの閾値は、標準の値又はデフォルト値を事前に閾値記憶部３７−１に保持する構成としてもよいし、あるいは、例えば移動局が位置登録等を行った基地局側から移動局に送信される制御情報にこの閾値情報を含ませる構成としてもよい。この場合、無線送受信部３１、受信データ処理部３２で受信した基地局からの制御情報（閾値情報）は、測定制御部３７を介して閾値記憶部３７−１に格納される。【００５９】
タイマー３７−２は、ＧＰＳ受信部３６におけるＧＰＳ位置情報取得に要する時間の管理や、ＧＰＳ位置情報取得に要した時間の測定、測定の周期の管理のために用いられる。タイマー３７−２内には、管理対象の時間の種別に応じて複数のタイマーを備えた構成としてもよい。【００６０】
測定データ報告制御部３９は、測定制御部３７から、ＧＰＳ位置情報の取得時間と所定時間との大小関係の通知を受けると、報告イベントが発生した場合にも報告は行わない等の制御を行う。あるいは、測定制御部３７から、ＧＰＳ受信レベルと閾値との大小関係の通知を受けると、報告イベントが発生した場合にも報告は行わない等の制御を行う。【００６１】
また測定データ報告制御部３９は、回線接続制御部３５の回線接続状態等に基づき、測定結果の報告の送信、禁止の制御を行う。回線接続制御部３５で無線回線障害検出時には、測定データ報告制御部３９は、測定データ格納部３８に格納された測定結果の報告の送信は行わず、無線回線再確立時あるいは再確立時以降の所定のタイミングで報告を送信するようにしてもよい。その際、測定報告の集中を分散させるため、所定の確率（例えば１０％）で測定報告を行う等、基地局への測定報告の送信を、確率的に行うようにしてもよい。【００６２】
送信データ処理部３３は、測定データ報告制御部３９からの指示（測定結果を報告するか禁止するかの指示）を受け、報告を行う場合に、測定データ格納部３８に格納されている測定結果、ＧＰＳ位置情報、一時的な移動局ＩＤ情報（ＴＭＳＩ）、時刻等を読み出し、一時的な移動局ＩＤ情報（ＴＭＳＩ）等を合わせた情報を報告として、無線送受信部３１から送信する。なお、移動局における、測定制御部３７、測定データ報告制御部３９の処理の少なくとも一部は、移動局を構成するコンピュータで動作するプログラムによって実現するようにしてもよいことは勿論である。【００６３】
図５は、図２の管理サーバ４の構成の一例を示す図である。図５を参照すると、管理サーバ４は、測定指示制御部４１と、データ格納部４２と、送受信部４３と、パラメータ最適化計算部４４と、パラメータ再設定指示部４５と、を備えている。各要素はそれぞれ概略以下の機能を有する。【００６４】
測定指示制御部４１は、基地局を介して移動局に測定指示を発行する。測定指示には、測定を周期型、イベント型、オン・デマンド型のいずれで行うか、及び、測定すべき項目を含む。また、測定指示制御部４１は、測定指示（測定制御通知）に、移動局における位置取得可否制御情報（フラグ）を設定する。【００６５】
測定指示制御部４１からの測定指示は、送受信部４３からゲートウェイ（ＧＷ装置）（図２の１）に転送され、ゲートウェイから基地局に転送され、基地局から無線でセル内の移動局に通知される。【００６６】
送受信部４３は、移動局からの報告情報を基地局、ゲートウェイ（ＧＷ装置）（図２の１）を介して受信し、受信した報告情報をデータ格納部４２に格納する。【００６７】
パラメータ最適化計算部４４は、データ格納部４２から報告情報を読み出し、報告情報に基づき、対応する基地局の電力やアンテナのチルト角等の無線パラメータについて、最適化のための計算を行う。パラメータ最適化計算部４４で新たに計算された無線パラメータが、既に設定済みの無線パラメータと異なる場合、パラメータ再設定指示部４５は、パラメータ再設定指示をゲートウェイ（図２の１）を介して基地局に送信する。基地局では、受け取ったパラメータ再設定指示に基づき電力やアンテナのチルト角等を設定する。【００６８】
本実施例において、パラメータ最適化計算部４４は、例えば屋内の移動局からの測定結果の報告を選択的に受け取ることで、屋内の通信品質劣化情報を予め排除した状態で、屋外の無線パラメータの最適化を行うことができる。あるいは、屋内の移動局からの測定結果の報告を選択的に受け取るようにしてもよい。【００６９】
図６は、本発明の第１の実施例の動作を説明する図である。移動局の構成を示した図４及び図６を参照して、本実施例の動作を説明する。【００７０】
移動局は基地局から測定指示（測定制御通知）を受信する（ステップＳ１）。より詳細には、移動局の測定制御部３７は、無線送受信部３１、受信データ処理部３２を介して受信した基地局からの測定指示を入力する。【００７１】
位置取得可否制御がオンである場合（ステップＳ２のＹＥＳ）、移動局は、ＧＰＳ位置情報の取得を試行する（ステップＳ３）。より詳細には、移動局の測定制御部３７は、基地局からの測定指示（測定制御通知）を解析し、測定指示内の位置取得可否制御情報（フラグ）がオンに設定されている場合、ＧＰＳ受信部３６に対して、ＧＰＳ位置情報の取得を要求する。このとき、測定制御部３７は、タイマー３７−２をスタートさせる。測定指示内の位置取得可否制御情報（フラグ）は、管理サーバの測定指示制御部４１（図５参照）で記憶・管理され、基地局にゲートウェイを介して通知され、基地局の測定指示生成部２５（図３参照）から無線送受信部２１、アンテナ２０を介して測定指示として移動局に送信される。【００７２】
所定時間内にＧＰＳ位置情報を取得できた場合（ステップＳ４のＹＥＳ）、移動局は、屋外であると判断し、回線状況の測定を行う（ステップＳ５）。より詳細には、移動局の測定制御部３７は、タイマー３７−２（タイムアウト時間は該所定時間に設定される）のタイムアウト発生前に、ＧＰＳ受信部３６からＧＰＳ位置情報の算出完了通知を受け取った場合、基地局からのパイロット信号の受信レベル等、回線状況の測定を行う。なお、位置取得可否制御がオフの場合（ステップＳ２のＮＯ）、ＧＰＳ位置情報の取得を試行せず、ステップＳ５にジャンプして測定を行う。【００７３】
所定時間内にＧＰＳ位置情報を取得できなかった場合（ステップＳ４のＮＯ）、ステップＳ２に戻り、移動局の測定制御部３７は、次の周期でＧＰＳ位置情報の取得を要求する。【００７４】
報告イベント発生時（ステップＳ６）、イベント発生情報を報告する（ステップＳ７）。報告イベントの発生とは、測定結果を基地局に報告するトリガーとなるイベントの発生である。例えば、基地局の報告指示生成部２６から送信される測定結果の報告指示、あるいは、無線回線障害（radio link failure）、ハンドオーバ障害等の発生、あるいは、測定を予め定められた所定回数実行した場合や、測定報告のタイミングを管理するタイマーのタイムアウト時である。【００７５】
測定データ報告制御部３９は、測定データ格納部３８に格納されている測定データ、ＧＰＳ位置情報、時刻等から、測定結果の報告を作成し、送信データ処理部３３、無線送受信部３１を介してアンテナ３０−１から基地局に無線送信する。【００７６】
屋外では、ＧＳＰから送信される電波（ＧＰＳ電波）の電界強度（または受信電力）が大きく、短時間で位置情報を計算できる。【００７７】
一方、屋内では、ＧＰＳ電波が建物に侵入する際に、壁などを透過することで大きく減衰するために、ＧＰＳ電波の電界強度が小さいため、屋外と同等の精度で位置情報を計算するには、比較的長時間にわたってＧＰＳ電波を受信し、多くの計算処理を行う必要があり、位置情報の取得に要する時間が長くなる。【００７８】
第１の実施例においては、屋内では所定時間内に位置情報が取得できず、測定も報告も実施されず、屋外のみ測定が実施されることになる。【００７９】
本発明の第２の実施例では、報告イベント発生時に、ＧＰＳ位置情報の取得に要する時間が所定値以上の場合は、移動局は、基地局への報告を中止する。図７は、本発明の第２の実施例の動作を説明する図である。図４及び図７を参照して、本実施例の動作を説明する。【００８０】
移動局は基地局から測定指示（測定制御通知）を受信する。（ステップＳ１１）。より詳細には、移動局の測定制御部３７は、無線送受信部３１、受信データ処理部３２を介して受信した基地局からの測定指示を入力する。【００８１】
移動局は基地局からのパイロット信号の受信レベル等、回線状況の測定を行う（ステップＳ１２）。移動局の測定制御部３７は、無線送受信部、受信データ処理部３２で受信された、基地局からのパイロット信号の受信レベル等の測定を行う。測定結果は測定データ格納部３８に格納される。【００８２】
報告イベントが発生時（ステップＳ１３）、ＧＰＳ位置情報の取得を試行する（ステップＳ１４）。測定制御部３７は、ＧＰＳ受信部３６に対してＧＰＳ位置情報の取得を要求する。このとき、測定制御部３７はタイマー３７−２をスタートさせる。なお、報告イベントの発生とは、前述したとおり、測定結果の報告を基地局に送信するトリガーとなるイベントの発生である。例えば、基地局の報告指示生成部２６から送信される測定結果の報告指示、あるいは、無線回線障害（radio link failure）、ハンドオーバ障害等の発生、あるいは、測定を予め定められた所定回数実行した場合や、測定報告のタイミングを管理するタイマーのタイムアウト時である。【００８３】
移動局において、所定時間内にＧＰＳ位置情報を取得できた場合（ステップＳ１５のＹＥＳ）、屋外であると判断し、イベント発生情報を報告する（ステップＳ１６）。より詳細には、移動局の測定制御部３７は、タイマー３７−２のタイムアウト発生前に、ＧＰＳ受信部３６からＧＰＳ位置情報の算出が完了した旨の通知を受け取った場合、測定データ報告制御部３９に測定報告を指示する。測定データ報告制御部３９は、測定データ格納部３８に格納されている測定データ、ＧＰＳ位置情報、時刻等から、測定結果の報告を作成し、送信データ処理部３３、無線送受信部３１を介してアンテナ３０−１から基地局に無線送信する。【００８４】
屋内における通信品質の改善には限界があるが、屋外では、どこでも良好な通信品質が得られることが望ましい。本実施例においては、ＧＰＳ位置情報が取得できるか否かで、屋内・屋外をほぼ識別でき、ＧＰＳ位置情報が取得できる屋外の場合のみ、測定や報告を行う。これにより、屋内の通信品質劣化情報を除去し、屋外の通信品質を効率的に改善できる。【００８５】
逆に、屋内の性能調査（スループット等）を、重点的に行うことも可能である。【００８６】
移動局は、ＧＰＳ位置情報を所定時間内に取得できるときのみ、ＧＰＳ位置情報を付加して基地局に報告し、管理サーバがその付加情報の有無で、屋外・屋内を区別するようにしてもよい。【００８７】
第２の実施例では、屋内では所定時間内に位置情報が取得できず、報告が実施されず、屋外のみ報告が実施されることになる。【００８８】
図８は、本発明の第３の実施例を説明する図である。図５、図８を参照して本実施例の動作を説明する。【００８９】
移動局は基地局から測定制御通知を受信する（ステップＳ２１）。より詳細には、移動局の測定制御部３７は、無線送受信部３１、受信データ処理部３２を介して受信した基地局からの測定指示を入力する。【００９０】
位置取得可否制御がオンである場合（ステップＳ２２のＹＥＳ）、移動局は、ＧＰＳ位置情報の取得とＧＰＳ電波の電界強度測定を試行する（ステップＳ２３）。より詳細には、移動局の測定制御部３７は、基地局からの測定指示を解析し、位置取得可否制御情報（フラグ）がオンに設定されている場合、ＧＰＳ受信部３６に対してＧＰＳ位置情報の取得を要求する。【００９１】
ＧＰＳ電波の電界強度が所定の閾値以上の場合（ステップＳ２４のＹＥＳ）、屋外であると判断し、基地局からのパイロット信号の受信レベル等、回線状況の測定を行う（ステップＳ２５）。より詳細には、移動局の測定制御部３７は、ＧＰＳ受信部３６からのＧＰＳ電波の電界強度が閾値Ｔ２よりも大の場合、基地局からのパイロット信号の受信レベル等、回線状況の測定を行う。なお、位置取得可否制御がオフの場合（ステップＳ２２のＮＯ）、ＧＰＳ位置情報の取得とＧＰＳ電波の電界強度測定を試行せず、ステップＳ２５にジャンプして測定を行う。【００９２】
ＧＰＳ電界強度が閾値Ｔ２以下の場合（ステップＳ２４のＮＯ）、ステップＳ２２に戻り、移動局の測定制御部３７は、次の周期でＧＰＳ位置情報の取得を要求する。【００９３】
報告イベント発生時（ステップＳ２６のＹＥＳ）、移動局は、イベント発生情報を報告する（ステップＳ２７）。報告イベントが発生しない場合、ステップＳ２２に戻る。報告イベントの発生とは、測定結果を基地局に報告するトリガーとなるイベントの発生である。例えば、基地局の報告指示生成部２６から送信される測定結果の報告指示、あるいは、無線回線障害（radio link failure）、ハンドオーバ障害等の発生、あるいは、測定を予め定められた所定回数実行した場合や、測定報告のタイミングを管理するタイマーのタイムアウト時である。移動局の測定制御部３７は、測定データ報告制御部３９に測定報告を指示する。測定データ報告制御部３９は、測定データ格納部３８に格納されている測定データ、ＧＰＳ位置情報、時刻等から、測定結果の報告を作成し、送信データ処理部３３、無線送受信部３１を介してアンテナ３０−１から基地局に無線送信する。【００９４】
本発明の第４の実施例では、報告イベント発生時に、ＧＰＳ電波の電界強度が所定値以上の場合は、報告を行う。図９は、本発明の第４の実施例の動作を説明する図である。図４及び図９を参照して、本実施例の動作を説明する。【００９５】
移動局は基地局から測定指示（測定制御通知）を受信する（ステップＳ３１）。より詳細には、移動局の測定制御部３７は、無線送受信部３１、受信データ処理部３２を介して受信した基地局からの測定指示を入力する。【００９６】
移動局は基地局からのパイロット信号の受信レベル等、回線状況の測定を行う（ステップＳ３２）。より詳細には、移動局の測定制御部３７は、無線送受信部３１、受信データ処理部３２で受信されたパイロット信号の受信レベル等の測定を行う。測定結果は測定データ格納部３８に格納される。【００９７】
報告イベントが発生時（ステップＳ３３のＹＥＳ）、ＧＰＳ位置情報の取得とＧＰＳ電波の電界強度測定を試行する（ステップＳ３４）。より詳細には、移動局の測定制御部３７は、ＧＰＳ受信部３６に対してＧＰＳ位置情報の取得を要求する。なお、報告イベントの発生とは、前述したとおり、測定結果の報告を基地局に送信するトリガーとなるイベントの発生である。【００９８】
ＧＰＳ電波の受信電界強度が閾値Ｔ２よりも大の場合（ステップＳ３５のＹＥＳ）、移動局は屋外であると判断し、イベント発生情報を報告する（ステップＳ３６）。より詳細には、移動局の測定制御部３７は、ＧＰＳ受信部３６からＧＰＳ電界強度と閾値を比較し、ＧＰＳ電界強度が閾値以上の場合、測定データ報告制御部３９に測定報告を指示する。測定データ報告制御部３９は、測定データ格納部３８に格納されている測定データ、ＧＰＳ位置情報、時刻、イベントの種別等の測定報告を作成し、送信データ処理部３３、無線送受信部３１を介してアンテナ３０−１から基地局に無線送信する。【００９９】
前記第１、第２の実施例において、上記した所定時間の設定として、基地局から移動局に通知するようにしてもよい。この所定時間は、管理サーバ４の測定指示生成部２５に予め格納されており、管理サーバ４から基地局を介して移動局に送信される。移動局では、無線送受信部３１、受信データ処理部３２で受信された、該所定時間を閾値記憶部３７−１にタイマーのタイムアウト時間として記憶する。【０１００】
前記第３、第４の実施例では、所定時間内にGPS位置情報取得が成功のときに、測定、報告を実施する代わりに、ＧＰＳ電波の電界強度が所定のしきい値以上のとき、測定、報告を実施する。【０１０１】
なお、ＧＰＳ位置情報取得の代わりに、地上デジタルテレビジョン放送の電波の電界強度を測定し、その電界強度が所定のしきい値以上のとき、測定、報告を実施するようにしてもよい。【０１０２】
次に、本発明の第５の実施例を説明する。本実施例においては、所定のイベント発生時に、ＧＰＳの位置情報の取得に要した時間を測定する。位置情報取得が所定時間内に完了しない場合は、再試行を一定の周期で行う。移動を検出できる機能があれば、一定の距離を移動する毎でもよい。上記の位置情報取得に要した時間と再試行回数を報告する。【０１０３】
管理サーバ（図２の４）は、ＧＰＳ位置情報の取得時間が短い場所でのイベント発生は屋外でのイベントと判断して、その地点の通信品質を重点的に改善する。【０１０４】
また、再試行回数が多く、位置情報の信頼度が低いときには、無線パラメータ最適化において、そのデータの重みを小さくして扱うようにしてもよい。【０１０５】
ＧＰＳ位置情報取得の再試行回数に上限を設けてもよい。再試行回数を０とすれば、正確な位置情報が取得できないときには、位置情報を除いて報告するか、またはイベント発生報告自体を行わないことになる。【０１０６】
図１０は、本発明の第５の実施例の動作を説明する図である。所定のイベント発生時（ステップＳ４１）に、ＧＰＳの位置情報の取得を試行する（ステップＳ４２）。例えば無線回線障害等のイベント発生は、移動局の回線接続制御部３５で検出され、測定制御部３７に通知される。測定制御部３７は、ＧＰＳ受信部３６に対してＧＰＳ位置情報の取得を要求する。その際、タイマー３７−２をスタートさせる。【０１０７】
ＧＰＳ位置情報の取得が所定時間内に完了しない場合は（ステップＳ４３のＮＯ）、再試行を一定の周期で行う。より詳細には、測定制御部３７において、ＧＰＳ受信部３６からのＧＰＳ位置情報をタイムアウト発生前に受け取らない場合（タイマーのタイムアウト発生時）、ステップＳ４１に移行する。【０１０８】
移動局の移動を検出できる機能があれば、移動局が一定の距離を移動する毎にステップＳ４２を行ってもよい。【０１０９】
ＧＰＳ位置情報の取得が所定時間内に完了した場合は（ステップＳ４３のＹＥＳ）、ＧＰＳ位置情報の取得に要した時間と再試行回数を報告する（ステップＳ４４）。より詳細には、移動局の測定制御部３７において、ＧＰＳ受信部３６からのＧＰＳ位置情報をタイムアウト発生前に受けとった場合、測定制御部３７は、測定報告データ制御部３９に報告実行を指示し、測定報告データ制御部３９は、ＧＰＳ位置情報取得に要した時間と、再試行回数を含む報告を作成し、送信データ処理部３３、無線送受信部３１、アンテナ３０−１から基地局に送信する。【０１１０】
なお、ＧＰＳ位置情報をイベント発生前から、周期的に取得するようにしてもよい。この場合は、ＧＰＳ位置情報取得からの経過時間に応じた信頼度情報を報告する。【０１１１】
次に、本発明を、ＳＯＮ（ｓｅｌｆ  ｏｒｇａｎｉｚｉｎｇ／ｏｐｔｉｍｉｚｉｎｇ  ｎｅｔｗｏｒｋｓ）サーバを備えたＳＯＮに適用した例について説明する。以下の例では、上記実施例における監視結果の報告を「ＳＯＮ測定レポート（ＳＯＮ  ｍｅａｓｕｒｅｍｅｎｔ  ｒｅｐｏｒｔ）」という（非特許文献１参照）。【０１１２】
図１１に示すように、移動局（ＵＥ）は、基地局（ｅＮＢ１）と無線で回線接続し、無線回線接続障害が発生し、ＳＯＮ測定レポートのトリガーとなる（ＳＯＮ  Ｍｅａｓｕｒｅｍｅｎｔ（ＭＳＲ）  ｔｒｉｇｇｅｒ）。フェーズ１（Ｐｈａｓｅ１）は移動局がセルが見えなくなった状態、フェーズ２（Ｐｈａｓｅ２）はフェーズ１（Ｐｈａｓｅ１）終了後、移動局が現在のセルでなく他のセルを探索する時間に対応する。基地局（ｅＮＢ２）と回線接続が再確立すると（ｃｏｎｅｎｃｔｉｏｎ  ｒｅ−ｅｓｔａｂｌｉｓｈｍｅｎｔ）、ＳＯＮ測定レポートを基地局（ｅＮＢ２）へ送信し、ＳＯＮ測定レポートは基地局（ｅＮＢ２）から管理サーバ（ＳＯＮ  ｓｅｒｖｅｒ）に送信される。管理サーバ（ＳＯＮ  ｓｅｒｖｅｒ）では、基地局（ｅＮＢ１）の無線パラメータ等の再構成（ｅＮＢ１  ｐａｒａｍｅｔｅｒ  ｒｅｃｏｎｆｉｇｕｒａｔｉｏｎ）を行う。【０１１３】
ネットワークにおいて自己組織型機構の有効性を向上させるには、ＳＯＮ測定レポートの多量のサンプルを要する。隣接領域の複数セルの共通パイロット信号を制御するには、異なった位置に分散した状態で何千ものＵＥの測定レポートが、限定されて位置分散での少数サンプルよりも役立つ。大量のＳＯＮ測定レポートのサンプルを集めることになるが、ＵＥの観点から負荷の不均衡（すなわち、１つのグループのＵＥは他のＵＥよりもより多くのＳＯＮ測定レポートが要求される。）の機会を最小限とすべく、ネットワークはＵＥが可能な限り多くの要求を発行する。理想形態として、ネットワーク内の全てのＵＥが等しい確率でＳＯＮ測定レポートが要求されると、自己組織型機構用の集められたサンプルの信頼性を最大化することにつながる。【０１１４】
ネットワーク内のＵＥについて見てみると、その多くは異なった通信環境にある。例えばあるＵＥは屋外にあり、他はビルディング（建物）の中、トンネル、あるいは地下鉄内にあるといった具合である。多量のＳＯＮ測定レポートは集めたサンプルの信頼性を高めることになるが、これらは、屋外又は屋内の特性といった、同じような属性を共通に持っている。屋外と屋内のＳＯＮ測定が混在している場合、自己組織型機構（ｓｅｌｆ  ｏｒｇａｎｉｚｅｄ  ｍｅｃｈａｎｉｓｍ）にとって良い入力データとはならない。例えばセル１では屋内と屋外のＵＥの個数が５０％、５０％であり、セル２では屋内と屋外のＵＥの個数が１０％、９０％である場合、セル２では、セル１よりも屋内のＵＥが多いことから、無線回線障害、ハンドオーバ障害、低ユーザスループット等のＳＯＮ測定レポートがより多く発生するであろう。だからといって、セル２がセル１よりも無線パラメータの最適化の程度が劣っているとはいえない。何となれば、重要な情報は、各セルの屋外のＵＥのＳＯＮ測定であるからである。【０１１５】
そこで、本発明では、以下を提案する。【０１１６】
ＧＰＳ受信品質又はＧＰＳ位置情報の取得時間、及び／又は、
デジタル、アナログＴＶ／ラジオ放送の受信品質、
に基づき、ＵＥの周囲環境指標（ＵＥ  ｓｕｒｒｏｕｎｄｉｎｇ  ｅｎｖｉｒｏｎｍｅｎｔ  ｉｎｄｉｃａｔｏｒ）を定義する。【０１１７】
ネットワークはＳＯＮ測定と報告をＵＥの周囲環境に基づき制御する。【０１１８】
あるＵＥ周囲環境に対してＳＯＮ測定と報告を許可する、及び／又は、
他のＵＥ周囲環境に対してＳＯＮ測定と報告を許可しない。【０１１９】
ＵＥは、周囲環境指標をＳＯＮ測定レポートの一部としてレポートしてもよい。【０１２０】
以下では、ＧＰＳ受信品質を主要な環境指標として用いる場合を説明する。【０１２１】
サービングセル品質とＧＰＳ受信品質を考慮すると、次の４つに場合わけできる。図１２（Ａ）乃至（Ｄ）は、４つのケースの測定結果を例示した図である。【０１２２】
ケース１：
サービングセル品質（Ｑ１）が予め定められた閾値Ｔ１より高く、ＧＰＳ品質（Ｑ２）が閾値Ｔ２よりも高い。【０１２３】
ケース２：
サービングセル品質（Ｑ１）が閾値Ｔ１以下であり、ＧＰＳ品質（Ｑ２）が予め定められた閾値Ｔ２よりも高い。【０１２４】
ケース３：
サービングセル品質（Ｑ１）が閾値Ｔ１よりも高く、ＧＰＳ品質（Ｑ２）が閾値Ｔ２以下である。【０１２５】
ケース４：
サービングセル品質（Ｑ１）が閾値Ｔ１以下であり、ＧＰＳ品質（Ｑ２）が閾値Ｔ２以下である。【０１２６】
ケース１では、ＵＥは屋外に位置し、ネットワークは良好な受信品質を提供している。【０１２７】
ケース２では、ＵＥは屋外に位置しているが、信号強度が貧弱であり、この屋外のＵＥは、ユーザスループットが劣悪であるか、呼の接続障害を受ける可能性がある。ネットワーク・オペレータは、ケース２の発生を最小化すべく、周囲セルの再構成、問題箇所の近くに新たに基地局を設置する等して、品質改善を行うことになる。【０１２８】
ケース３、４は、ＵＥがビル内、あるいはトンネル、地下鉄等、屋内に位置している場合に対応する。ＧＰＳ信号が受信できないか、ＧＰＳ信号強度が低い位置は、良好なネットワークのケース３（サービングセル品質（Ｑ１）が閾値Ｔ１より高い）と、不良なネットワークのケース４（サービングセル品質（Ｑ１）が閾値Ｔ１以下）に分別される。【０１２９】
無線ネットワークへのアクセスが例えば地下鉄のエリア等で可能とされている場合、ＵＥはＧＰＳ信号に基づく位置の推定ができないが、良好なサービングセル品質を検出する。【０１３０】
ネットワーク・オペレータが知りたいことは、サービングセル品質がどのように分布しているかである。ビル等の屋内においては電波のビルの透過損失のため、ＵＥはサービングセルの信号を良好な品質レベルで受信することはできない。ネットワークは、屋外のＵＥに対して、可能なかぎり理に適ったサービングセル品質を提供すべきである。したがって、ネットワーク・オペレータの関心の対象は、屋外のＵＥによるサービングセル品質の集計である。【０１３１】
図１３は、ＳＯＮサーバ要求ベースのＳＯＮ測定レポートの例を示すシーケンス図である。【０１３２】
屋外ＵＥ（Ｏｕｔｄｏｏｒ  ＵＥ）と屋内ＵＥ（Ｉｎｄｏｏｒ  ＵＥ  ）がｅＮＢ１に接続されているものとする（Ｓ１０１、Ｓ１０２）。屋外ＵＥはＧＰＳ信号を良好な受信品質で受信できるが、屋内ＵＥはＧＰＳ信号を受信できない。【０１３３】
ＳＯＮサーバ（ＳＯＮ  ｓｅｒｖｅｒ）は、ｅＮＢ１ｎの無線パラメータの最適化を行うことを決定し（Ｓ１００）、当該ｅＮＢ１に対して、ｅＮＢ１に接続しているＵＥにＳＯＮ測定（ＳＯＮ  ｍｅａｓｕｒｅｍｅｎｔ）を起動（トリガー）するように要求をする（Ｓ１０３）。【０１３４】
屋外ＵＥと屋内ＵＥはｅＮＢ１からの要求により、ＳＯＮ測定がトリガーされる（Ｓ１０４、Ｓ１０５）。【０１３５】
屋外ＵＥはＧＰＳ信号を良好な受信品質で受信できるため、ＧＰＳ位置情報の取得に成功する（Ｓ１０６）。【０１３６】
屋内ＵＥはＧＰＳ信号の品質が悪く、ＧＰＳ位置情報を取得できない（Ｓ１０７）。【０１３７】
屋内ＵＥはＳＯＮ測定の手続きをやめ、通常動作に復帰する（Ｓ１０９）。【０１３８】
屋外ＵＥはＳＯＮ測定の残りの手続きを続け（Ｓ１０８）、ＳＯＮ測定結果をｅＮＢ１にレポートし（Ｓ１１０）、ＳＯＮ測定を終了し、通常動作に復帰する（Ｓ１１１）。【０１３９】
屋外ＵＥからのＳＯＮ測定結果の報告に基づき、ＳＯＮサーバはセルパラメータを再構築し、当該セルの最適化を行う（ｅＮＢ１のパラメータを再設定する）（Ｓ１１２）。【０１４０】
図１３に示した例では、屋内ＵＥはＳＯＮ測定、レポートが禁止される。このため、屋内ＵＥは不要なＳＯＮ関連の測定、レポートを回避することができ、バッテリ寿命等の資源を節約する。【０１４１】
またｅＮＢ１は屋内ＵＥからのＳＯＮ測定レポートを扱う必要がなく、ＳＯＮサーバでは、いずれ捨てられることになる屋内ＵＥからのＳＯＮ測定レポートを受信しなくて済む。ネットワーク・トラフィック、負荷の増大を抑止している。【０１４２】
本発明においては、屋内ＵＥでのＳＯＮ測定を選択的に集計できるように変形することも可能である。屋内ＵＥは屋外ＵＥよりもスループットが低い。この場合、ネットワーク・オペレータ側では、屋内でのサービス品質を知りたい場合がある。【０１４３】
図１４は、ＳＯＮサーバ要求に基づきＳＯＮ測定とレポートの別の例を示す図である。【０１４４】
屋外ＵＥと屋内ＵＥがｅＮＢ１に接続されている。屋外ＵＥはＧＰＳ信号を良好な受信品質で受信できるが、屋内ＵＥはＧＰＳ信号を受信できない。【０１４５】
ＳＯＮサーバ（ＳＯＮ  ｓｅｒｖｅｒ）は、ｅＮＢ１ｎの無線パラメータの最適化を行うことを決定し（Ｓ２００）、ｅＮＢ１に対して、ｅＮＢ１に接続しているＵＥにＳＯＮ測定を起動（トリガー）するように要求する（Ｓ２０３）。【０１４６】
屋外ＵＥと屋内ＵＥはｅＮＢ１からの要求により、ＳＯＮ測定がトリガーされる（Ｓ２０４、Ｓ２０５）。【０１４７】
屋外ＵＥはＧＰＳ信号を良好な受信品質で受信できるため、ＧＰＳ位置情報の取得に成功する（Ｓ２０６）。【０１４８】
屋内ＵＥはＧＰＳ信号の品質が悪く、ＧＰＳ位置情報を取得できない（Ｓ２０７）。【０１４９】
屋外ＵＥはＳＯＮ測定の手続きをやめ、通常動作に復帰する（Ｓ２０８）。屋内ＵＥはＳＯＮ測定の残りの手続きを続け（Ｓ２０９）、ＳＯＮ測定結果をｅＮＢ１にレポートし（Ｓ２１０）、ＳＯＮ測定を終了し、通常動作に復帰する（Ｓ２１１）。【０１５０】
屋内ＵＥからのＳＯＮ測定結果の報告に基づき、ＳＯＮサーバは、屋内ＵＥの平均ユーザスループット（単位時間に誤りなく伝送される実効的なデータ伝送量）等、屋内ＵＥのサービス品質を取得し、ｅＮＢ１のパラメータを再設定する（Ｓ２１２）。【０１５１】
図１４に示した例では、ＳＯＮ測定対象を屋内ＵＥに集中しているため、屋外ＵＥはＳＯＮ測定、レポートが禁止される。このため、屋外ＵＥは不要なＳＯＮ関連の測定、レポートを回避することができ、バッテリ寿命等の資源を節約する。【０１５２】
また、ｅＮＢ１は屋外ＵＥからのＳＯＮ測定レポートを扱う必要がなく、ＳＯＮサーバは、いずれ捨てられることになる屋外ＵＥからのＳＯＮ測定レポートを受信しなくて済むことから、ネットワークの利益となる。【０１５３】
上記例では、ＳＯＮサーバ要求に基づくＳＯＮ測定とレポートについて説明したが、無線回線障害等にも、本発明を適用することができる。図１５を参照して説明する。【０１５４】
ＵＥはｅＮＢ１に接続し、アクティブな呼セッションが確立している（Ｓ３０１）。【０１５５】
フェーズ１は、一種の待機手続きであり、ＵＥはサービングセル品質の監視を続ける（Ｓ３０２）。【０１５６】
サービングセルの品質が予め定められた期間内に改善した場合、ＵＥは通常動作モードに戻る。その他の場合、ＵＥはサービングセルとの接続試行を諦め、フェーズ２を開始し、ＵＥが接続可能な新たなセルを探索する。【０１５７】
ＵＥはサービングセルの再接続に失敗し、サービングセルは無線回線障害の測定をトリガーする（Ｓ３０３）。同時に、ＵＥは、無線回線障害復旧のフェーズ２で、ＵＥベースのセルサーチを開始する（Ｓ３０４）。【０１５８】
ＵＥはＳＯＮレポート用に位置情報を取得するためＧＰＳ位置推定を行う（Ｓ３０５）。【０１５９】
ＧＰＳ信号品質が良好でありＧＰＳ位置推定に成功した場合（屋外ＵＥ）、ＵＥは周辺セルの測定等、ＳＯＮ測定を続ける（Ｓ３０６）。ＧＰＳ信号品質が悪くＧＰＳ位置推定に失敗した場合（屋内ＵＥ）、ＵＥはＳＯＮ測定をスキップする。【０１６０】
ＵＥはｅＮＢ２によって制御されるセルを見つけ、接続を再確立する（Ｓ３０７）。【０１６１】
ＵＥがＧＰＳ位置推定に成功すると、ＵＥはＳＯＮ測定レポートをＳＯＮサーバに送信する（Ｓ３０８）。その際、ＳＯＮ測定とともに、ＧＰＳ位置の推定時間も、送信してもよい（Ｓ３０９）。ＳＯＮサーバによるｅＮＢ１のパラメータの再構成が行われる（Ｓ３１０）。【０１６２】
それ以外の場合、ＳＯＮ測定のレポートは行われない。ＧＰＳの受信品質が悪いＵＥは、ＳＯＮ測定、レポートを省略可能としている。すなわち、屋内ＵＥに対して、無線回線障害関連のＳＯＮ測定レポートを集めない場合に有用である。【０１６３】
ユーザがビル内、エレベータ、地下鉄にいるとき、ネットワーク信号、ＧＰＳ信号はＵＥに届かず、無線回線障害となる。ＵＥが無線回線障害についてＳＯＮ測定結果を報告する場合でも、ネットワークオペレータは、このような屋内での無線回線障害を改善するために可能な最適化の余地はあまりない。屋内ＵＥは不要なＳＯＮ関連の測定、レポートを回避することができ、バッテリ寿命等の資源を節約する。【０１６４】
またｅＮＢ２は屋内ＵＥからのＳＯＮ測定レポートを扱う必要がなく、ＳＯＮサーバは、捨てられることになる屋内ＵＥからのＳＯＮ測定レポートを受信しなくて済むことから、ネットワークの利益となる。【０１６５】
図１６は、サービングセル品質Ｑ１とＧＰＳ受信品質Ｑ２（図１２参照）の時間推移の一例を示す図である。なお、Ｑ１とＱ２の縦軸は便宜上、一本にまとめてあるが同一スケールではない。時刻ｔ１以前は、Ｑ１＞Ｔ１、Ｑ２＞Ｔ２であり、時刻ｔ１から、Ｑ１＜Ｔ１となる。時刻ｔ４で、Ｑ２＜Ｔ２となりＵＥは屋内にいるものと判断される。ただし、Ｑ１＞Ｔ１であり、サービングセル品質は劣悪とはいえない。時刻ｔ５とｔ６の間は、Ｑ１＜Ｔ１となる。時刻ｔ１以前が図１２（Ａ）のケース１、ｔ１〜ｔ３が図１２（Ｂ）のケース２、ｔ４〜ｔ５が図１２（Ｃ）のケース３、ｔ５〜ｔ６が図１２（Ｄ）のケース４に対応する。【０１６６】
本発明の実施例は以下の通りである。【０１６７】
［１］本実施例の移動端末は、基地局とは別の所定の無線送信源からの無線信号の受信状況に応じて、自端末での回線状況の測定、及び／又は、前記回線状況の測定結果の基地局への報告、
の実行を制御する。【０１６８】
［２］本実施例の移動端末は、上記［１］において、
前記所定の無線送信源からの無線信号は、前記移動端末での前記無線信号の受信状況に基づき、前記移動端末が屋外か屋内であるかを判別可能とするものである。【０１６９】
［３］本実施例の移動端末は、上記[１]又は[２]において、
前記所定の無線送信源からの無線信号の受信状況が、
前記無線信号を受信し該信号から所定の情報を取得するのに要する時間と、
前記無線信号の受信品質又は強度と、
の少なくとも一つを含む。【０１７０】
［４］本実施例の移動端末は、上記[１]乃至[３]のいずれか１つにおいて、
前記報告に、前記回線状況の測定結果と、前記所定の無線送信源からの無線信号の受信状況に関する情報とを含めて基地局に送信する。【０１７１】
［５］本実施例の移動端末は、上記[１]乃至[４]ののいずれか１つにおいて、
前記所定の無線送信源のアンテナは、前記基地局のアンテナよりも高い場所に位置している。【０１７２】
［６］本実施例の移動端末は、上記[１]乃至[５]の１つにおいて、
前記所定の無線送信源の使用周波数は、前記基地局からの信号の周波数よりも低い周波数である。【０１７３】
［７］本実施例の移動端末は、上記[１]乃至[６]のいずれか１つにおいて、
前記所定の無線送信源が、ＧＰＳ（Ｇｌｏｂａｌ  Ｐｏｓｉｔｉｏｎｉｎｇ  Ｓｙｓｔｅｍ）衛星、地上デジタルテレビジョン放送、アナログテレビジョン放送、ラジオ放送のいずれかを含む。【０１７４】
［８］本実施例の移動端末は、上記[１]乃至[７]のいずれか１つにおいて、
予め定められた所定のイベント発生時、自端末の位置情報を取得し、所定時間内に前記位置情報を取得できた場合、前記報告として、前記位置情報の取得に要した時間と、発生イベント情報とを基地局に送信する。【０１７５】
［９］本実施例の移動端末は、上記[１]乃至[７]のいずれか１つにおいて、
基地局からの測定指示に、位置情報の取得の可否に基づく制御を行うことが指定されている場合、自端末の位置情報の取得を試み、
予め定められた所定時間内に前記位置情報が取得できたか否かに応じて、回線状況の測定を制御する。【０１７６】
［１０］本実施例の移動端末は、上記[９]おいて、
予め定められた所定のイベントの発生に応答して、前記回線状況の測定結果の基地局への報告を行う。【０１７７】
［１１］本実施例の移動端末は、上記[１]乃至[７]のいずれか１つにおいて、
基地局からの測定指示にしたがって、回線状況の測定を行い、
予め定められた所定のイベントの発生に応答して、自端末の位置情報の取得を試み、
予め定められた所定時間内に前記位置情報が取得できたか否かに応じて、発生したイベント情報の報告を基地局に対して行う。【０１７８】
［１２］本実施例の移動端末は、上記[１]乃至[７]のいずれか１つにおいて、
基地局からの測定指示に、位置情報の取得の可否に基づく制御を行うことが指定されている場合、自端末の位置情報の取得を試み、
前記位置情報の受信品質が予め定められた所定の閾値よりも高いか低いかに応じて、前記回線状況の測定の実行を制御する。【０１７９】
［１３］本実施例の移動端末は、上記[１２]において、
所定の報告イベントの発生に応答して、前記回線状況の測定結果の基地局への報告を行う。【０１８０】
［１４］本実施例の移動端末は、上記［９］又は［１２］において、
前記位置情報の取得の可否に基づく制御を行うか否かの情報は、前記基地局に関する無線パラメータの調整を行う管理サーバ側で設定され、前記管理サーバから基地局に通知され、前記基地局から、前記測定指示として送信される。【０１８１】
［１５］本実施例の移動端末は、上記[１]乃至[７]のいずれか１つにおいて、
基地局からの測定指示にしたがって、回線状況の測定を行い、
予め定められた所定のイベントの発生に応答して、自端末の位置情報の取得を試み、
前記位置情報の受信品質が所定の閾値よりも高いか低いかに応じて、発生したイベント情報の基地局への報告を制御する。【０１８２】
［１６］本実施例の移動端末は、上記[１]乃至[７]のいずれか１つにおいて、
予め定められた所定のイベントが発生した時、自端末の位置情報の取得を試み、
予め定められた所定時間内に前記位置情報が取得できたか否かに応じて、発生したイベント情報の基地局への報告を制御する。【０１８３】
［１７］本実施例の移動端末は、
移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、  前記周囲環境情報に基づき、
前記移動端末での回線状況の測定、及び／又は、前記回線状況の測定の基地局への報告、
の実行を制御する。【０１８４】
［１８］本実施例の移動端末は、上記[１７]において、
ある周囲環境に対して、前記回線状況の測定及び前記回線状況の測定の基地局への報告を許可し、
他の周囲環境に対して、前記回線状況の測定及び前記回線状況の測定の基地局への報告を不許可とする制御を行う。【０１８５】
［１９］本実施例の移動端末は、上記[１７]又は[１８]において、
前記周囲環境情報を、前記回線状況の測定結果の報告の一部として基地局に送信する。【０１８６】
［２０］本実施例の移動端末は、上記[１７]において、
基地局から前記回線状況の測定指示を受けた場合、ＧＰＳ位置情報の取得を試み、
ＧＰＳ位置情報の推定に成功した場合、回線状況の測定を行い、前記回線状況の測定結果を基地局に報告する。【０１８７】
［２１］本実施例の移動端末は、上記[１７]において、
基地局から前記回線状況の測定指示を受けた場合、ＧＰＳ位置情報の取得を試み、
ＧＰＳ位置情報の推定に不成功の場合、回線状況の測定を行い、前記回線状況の測定結果を基地局に報告する。【０１８８】
［２２］本実施例の移動端末は、上記[１７]において、
現在サービスを提供しているサービングセルの無線回線障害時、セルの探索を行い、ＧＰＳ位置情報の取得を試み、
ＧＰＳ位置情報の取得に成功した場合、周辺セルの回線状況の測定を行い、
他セルとの再接続時、前記他のセルの基地局に、前記回線状況の測定結果の報告を行う。【０１８９】
［２３］本実施例の移動端末は、上記[２２]において、
前記報告とともに、ＧＰＳ位置情報の取得に要した時間を基地局に送る。【０１９０】
［２４］本実施例の無線通信システムは、基地局と移動端末とを含む無線通信システムであって、前記移動端末は、前記基地局とは別の所定の無線送信源からの無線信号の受信状況に応じて、前記移動端末での回線状況の測定、及び／又は、前記回線状況の測定結果の前記基地局への報告、の実行を制御する。【０１９１】
［２５］本実施例の無線通信システムは、上記[２４]において、
前記所定の無線送信源からの無線信号は、前記移動端末での前記無線信号の受信状況に基づき、前記移動端末が屋外か屋内であるかを判別可能とするものである。【０１９２】
［２６］本実施例の無線通信システムは、上記[２４]又は[２５]において、
前記所定の無線送信源からの無線信号の受信状況が、
前記無線信号を受信し該信号から所定の情報を取得するのに要する時間と、
前記無線信号の受信品質又は強度と、
の少なくとも一つを含む。【０１９３】
［２７］本実施例の無線通信システムは、基地局と移動端末とを含む無線通信システムであって、
前記移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記移動端末は、前記周囲環境情報に基づき、前記移動端末での回線状況の測定、及び／又は、前記回線状況の測定の前記基地局への報告、の実行を制御する。【０１９４】
［２８］本実施例の無線通信システムは、上記［２７］において、
前記移動端末において、ある周囲環境に対して前記回線状況の測定及び前記回線状況の基地局への報告を許可し、
他の周囲環境に対して前記回線状況の測定及び前記回線状況の基地局への報告を不許可とする制御が行われる。【０１９５】
［２９］本実施例の無線通信システムは、上記［２７］又は［２８］において、
前記移動端末は、前記周囲環境情報を、前記回線状況の測定結果の報告の一部として前記基地局に送信する。【０１９６】
［３０］本実施例の無線通信システムは、上記［２７］において、
前記移動端末は、前記基地局から測定指示を受けた場合、ＧＰＳ位置情報の取得を試み、
ＧＰＳ位置情報の推定に成功した場合、回線状況の測定を行い、前記回線状況の測定結果を前記基地局に報告する。【０１９７】
［３１］本実施例の無線通信システムは、上記［２７］において、
前記移動端末は、前記基地局から測定指示を受けた場合、ＧＰＳ位置情報の取得を試み、
ＧＰＳ位置情報の推定に不成功の場合、回線状況の測定を行い、前記回線状況の測定結果を前記基地局に報告する。【０１９８】
［３２］本実施例の無線通信システムは、上記［２７］において、
前記移動端末は、現在サービスを提供しているサービングセルの無線回線障害時、セルの探索を行い、ＧＰＳ位置情報の取得を試み、
ＧＰＳ位置情報の取得に成功した場合、周辺セルの回線状況の測定を行い、
他セルとの再接続時、前記他のセルの基地局に、前記回線状況の測定結果の報告を行う。【０１９９】
［３３］本実施例の無線通信システムは、上記［３２］において、
前記移動端末は、前記報告とともに、ＧＰＳ位置情報の取得に要した時間を前記基地局に送る。【０２００】
［３４］本実施例の無線通信方法は、移動端末が、基地局とは別の所定の無線送信源からの無線信号の受信状況に応じて、前記移動端末での回線状況の測定、及び／又は、前記回線状況の測定結果の基地局への報告、の実行を制御する。【０２０１】
［３５］本実施例の無線通信方法は、上記［３４］において、
前記所定の無線送信源は、前記移動端末での前記無線信号の受信状況に基づき、前記移動端末が屋外か屋内であるかを判別可能とするものである。【０２０２】
［３６］本実施例の無線通信方法は、上記［３４］又は［３５］において、
前記所定の無線送信源からの無線信号の受信状況が、
前記無線信号を受信し該信号から所定の情報を取得するのに要する時間と、
前記無線信号の受信品質又は強度と、
の少なくとも一つを含む。【０２０３】
［３７］本実施例の無線通信方法は、上記［３４］乃至［３６］のいずれか１つにおいて、
前記報告に、前記回線状況の測定結果と、前記所定の無線送信源からの無線信号の受信状況に関する情報とを含めて基地局に送信する。【０２０４】
［３８］本実施例の無線通信方法は、上記［３４］乃至［３７］のいずれか１つにおいて、
前記所定の無線送信源がＧＰＳ（Ｇｌｏｂａｌ  Ｐｏｓｉｔｉｏｎｉｎｇ  Ｓｙｓｔｅｍ）衛星、地上デジタルテレビジョン放送、アナログテレビジョン放送、ラジオ放送のいずれかを含む。【０２０５】
［３９］本実施例の無線通信方法は、上記［３４］乃至［３８］のいずれか１つにおいて、
前記移動端末において、予め定められた所定のイベント発生時、自端末の位置情報を取得し、所定時間内に前記位置情報を取得できた場合、前記報告として、前記位置情報の取得に要した時間と、発生イベント情報とを基地局に送信する。【０２０６】
［４０］本実施例の無線通信方法は、上記［３４］乃至［３８］のいずれか１つにおいて、
前記移動端末において、基地局から測定指示に、位置情報の取得の可否に基づく制御を行うことが指定されている場合、自端末の位置情報の取得を試み、予め定められた所定時間内に前記位置情報が取得できたか否かに応じて、回線状況の測定の実行を制御する。【０２０７】
［４１］本実施例の無線通信方法は、上記［４０］において、
前記移動端末において、予め定められた所定のイベントの発生に応答して、前記測定結果の基地局への報告を行う。【０２０８】
［４２］本実施例の無線通信方法は、上記［３４］乃至［３８］のいずれか１つにおいて、
前記移動端末において、基地局からの測定指示を受けた場合、回線状況の測定を行い、
予め定められた所定のイベントの発生に応答して、自端末の位置情報の取得を試み、
予め定められた所定時間内に前記位置情報が取得できたか否かに応じて、発生したイベント情報の基地局への報告を制御する。【０２０９】
［４３］本実施例の無線通信方法は、上記［３４］乃至［３８］のいずれか１つにおいて、
前記移動端末において、基地局からの測定指示を受けた場合、前記測定指示に位置情報の取得の可否に基づく制御を行うことが指定されている場合、自端末の位置情報の取得を試み、
前記位置情報の受信品質が予め定められた所定の閾値よりも高いか低いかに応じて、回線状況の測定の実行を制御する。【０２１０】
［４４］本実施例の無線通信方法は、上記［４３］おいて、
前記移動端末において、所定の報告イベントの発生に応答して、前記測定結果の基地局への報告を行う。【０２１１】
［４５］本実施例の無線通信方法は、上記［３４］乃至［３８］のいずれか１つにおいて、
前記移動端末において、基地局からの測定指示を受けた場合、回線状況の測定を行い、
予め定められた所定のイベントの発生に応答して、自端末の位置情報の取得を試み、
前記位置情報の受信品質が所定の閾値よりも高いか低いかに応じて、発生したイベント情報の基地局への報告を制御する。【０２１２】
［４６］本実施例の無線通信方法は、上記［３４］乃至［３８］のいずれか１つにおいて、
前記移動端末において、予め定められた所定のイベントが発生した時、自端末の位置情報の取得を試み、
予め定められた所定時間内に前記位置情報が取得できたか否かに応じて、発生したイベント情報の基地局への報告を制御する。【０２１３】
［４７］本実施例の無線通信方法は、
移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記移動端末において、回線状況の測定、及び／又は、前記回線状況の測定の基地局への報告、の実行を、前記周囲環境情報に基づき制御する。【０２１４】
［４８］本実施例の無線通信方法は、上記［４７］において、前記移動端末において、ある周囲環境に対して前記測定及び報告を許可し、他の周囲環境に対して前記測定及び報告を不許可とする制御が行われる。【０２１５】
［４９］本実施例の無線通信方法は、上記［４７］において、
前記移動端末が、前記周囲環境情報を測定結果の報告の一部として基地局に送信する。【０２１６】
［５０］本実施例の無線通信方法は、上記［４７］において、
前記移動端末において、基地局から測定指示を受けた場合、ＧＰＳ位置情報の取得を試み、
ＧＰＳ位置情報の推定に成功した場合、回線状況の測定を行い、測定結果を報告する。【０２１７】
［５１］本実施例の無線通信方法は、上記［４７］において、
前記移動端末において、基地局から測定指示を受けた場合、ＧＰＳ位置情報の取得を試み、
ＧＰＳ位置情報の推定に不成功の場合、回線状況の測定を行い、測定結果を報告する。【０２１８】
［５２］本実施例の無線通信方法は、上記［４７］において、
前記移動端末において、現在サービスを提供しているサービングセルの無線回線障害時、セルの探索を行い、
ＧＰＳ位置情報の取得を試み、ＧＰＳ位置情報の取得に成功した場合、周辺セルの回線状況の測定を行い、
他セルとの再接続時、前記他のセルの基地局に、前記回線状況の測定結果の報告を行う。【０２１９】
［５３］本実施例の無線通信方法は、上記［５２］において、
前記移動端末は、前記報告とともに、ＧＰＳ位置情報の取得に要した時間を前記基地局に送る。【０２２０】
［５４］本実施例のプログラムは、
基地局とは別の所定の無線送信源から送信される信号の受信状況に応じて、
自端末での回線状況の測定、及び／又は、
前記回線状況の測定結果の基地局への報告、
の実行を制御する処理を、移動端末を構成するコンピュータに実行させるプログラムを含む。【０２２１】
［５５］本実施例のプログラムは、
移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記移動端末での回線状況の測定、及び／又は前記回線状況の測定の基地局への報告の実行を、前記周囲環境情報に基づき制御する、処理を、移動端末を構成するコンピュータに実行させるプログラムを含む。【０２２２】
［５６］本実施例のプログラムは、上記［５５］において、
前記周囲環境情報を測定結果の報告の一部として基地局に送信する処理を、前記コンピュータに実行させるプログラムを含む。【０２２３】
［５７］本実施例のプログラムは、上記［５５］において、
基地局から測定指示を受けた場合、ＧＰＳ位置情報の取得を試み、
ＧＰＳ位置情報の推定に成功した場合、回線状況の測定を行い、前記回線状況の測定結果を報告する処理を、前記コンピュータに実行させるプログラムを含む。【０２２４】
［５８］本実施例のプログラムは、上記［５５］において、
基地局から測定指示を受けた場合、ＧＰＳ位置情報の取得を試み、
ＧＰＳ位置情報の推定に不成功の場合、回線状況の測定を行い、前記回線状況の測定結果を報告する処理を、前記コンピュータに実行させるプログラムを含む。【０２２５】
［５９］本実施例のプログラムは、上記［５５］において、
現在サービスを提供しているサービングセルの無線回線障害時、セルの探索を行い、
ＧＰＳ位置情報の取得を試み、
ＧＰＳ位置情報の取得に成功した場合、周辺セルの回線状況の測定を行い、
他セルとの再接続時、前記他のセルの基地局に、前記回線状況の測定結果の報告を行う、処理を、前記コンピュータに実行させるプログラムを含む。【０２２６】
［６０］本実施例の基地局は、
移動端末で受信されるＧＰＳ（Ｇｌｏｂａｌ  Ｐｏｓｉｔｉｏｎｉｎｇ  Ｓｙｓｔｅｍ）電波の受信品質又はＧＰＳ位置情報の取得に要する時間、及び／又は、所定のテレビ放送又はラジオ放送の受信品質を、前記移動端末の周囲環境情報として用い、
前記移動端末において、回線状況の測定、及び／又は、前記回線状況の測定の基地局への報告の実行を、前記周囲環境情報に基づき制御するように、前記移動端末に対して指示する。【０２２７】
［６１］本実施例の管理サーバは、
基地局とは別の所定の無線送信源からの無線信号であって、移動端末での前記無線信号の受信状況に基づき、前記移動端末が屋外か屋内であるかを判別可能とする無線信号の受信状況に応じて、回線状況の測定、及び／又は、前記回線状況の測定結果の報告、の実行を制御するように、基地局を介して、移動端末に対して測定指示を行い、
前記移動端末からの測定結果の報告を基地局を介して受け、前記測定結果の報告に基づき、屋外と屋内を区別して、無線パラメータの最適化を行う。【０２２８】
［６２］本実施例の移動端末は、
基地局との間の回線状況の測定を制御する測定手段と、
前記基地局とは別の所定の無線送信源からの無線信号を受信する受信手段と、
前記基地局への測定結果報告データを作成して報告を行う手段と、
を備え、
前記基地局からの測定指示により設定される一のモードにおいて、前記測定手段による回線状況の測定の実行を、前記受信手段による前記所定の無線送信源からの無線信号の受信状況にしたがって制御し、
前記基地局へ測定結果を報告する契機となる所定のイベントが発生すると、前前記基地局への報告を行い、
前記報告は、
前記回線状況に関する情報、又は、
前記回線状況に関する情報と、前記無線送信源からの無線信号の受信状況に関する情報及び／又は前記無線信号から取得された情報と、
を含む。【０２２９】
［６３］本実施例の移動端末は、
基地局との間の回線状況の測定を制御する測定手段と、
前記基地局とは別の所定の無線送信源からの無線信号を受信する受信手段と、
前記基地局への測定結果報告データを作成して報告を行う手段と、
を備え、
前記基地局からの測定指示を受けると、前記測定手段による回線状況の測定を実行し、
前記測定ののち、前記基地局へ測定結果を報告する契機となる所定のイベントが発生すると、前記受信手段により前記所定の無線送信源からの無線信号を受信し、前記受信手段による前記所定の無線送信源からの無線信号の受信状況にしたがって、基地局への報告の行を制御し、
前記報告は、
前記回線状況に関する情報、又は、
前記回線状況に関する情報と、前記無線送信源からの無線信号の受信状況に関する情報及び／又は前記無線信号から取得された情報と、
を含む。【０２３０】
［６４］本実施例の移動端末は、上記［６３］において、
前記所定の無線送信源からの無線信号がＧＰＳ（Ｇｌｏｂａｌ  Ｐｏｓｉｔｉｏｎｉｎｇ  Ｓｙｓｔｅｍ）信号であり、
所定の時間内にＧＰＳ位置情報が取得できた場合、あるいは、ＧＰＳ電界強度が所定の閾値以上のとき、基地局への報告を実行し、
前記報告は、
前記回線状況に関する情報、又は、
前記回線状況に関する情報と、ＧＰＳ位置情報又はＧＰＳ位置情報取得に要した時間をを含む。【０２３１】
［６５］本実施例の移動端末は、
基地局との間の回線状況の測定を制御する測定手段と、
前記基地局とは別の所定の無線送信源からの無線信号を受信する受信手段と、
前記基地局への測定結果報告データを作成して報告を行う手段と、
を備え、
前記基地局からの測定指示により設定される一のモードにおいて、前記測定手段による回線状況の測定の実行を、前記受信手段による前記所定の無線送信源からの無線信号の受信状況にしたがって制御し、
前記基地局へ測定結果を報告する契機となる所定のイベントが発生すると、前記基地局への報告を行い、前記報告は、
前記回線状況に関する情報、又は、
前記回線状況に関する情報と、前記無線送信源からの無線信号の受信状況に関する情報及び／又は前記無線信号から取得された情報と、
を含む。【０２３２】
［６６］本実施例の移動端末は、
基地局とは別の所定の無線送信源からの無線信号を受信する受信手段と、
前記基地局への報告を行う手段と、
を備え、
前記基地局へ測定結果を報告する契機となる所定のイベントが発生すると、前記受信手段により前記所定の無線送信源からの無線信号を受信し、
前記受信手段による前記所定の無線送信源からの無線信号の受信状況に応じて、前記基地局への報告を制御する。【０２３３】
なお、本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
2009048088.tif 000003
【図２】
2009048088.tif 000004
【図３】
2009048088.tif 000005
【図４】
2009048088.tif 000006
【図５】
2009048088.tif 000007
【図６】
2009048088.tif 000008
【図７】
2009048088.tif 000009
【図８】
2009048088.tif 000010
【図９】
2009048088.tif 000011
【図１０】
2009048088.tif 000012
【図１１】
2009048088.tif 000013
【図１２】
2009048088.tif 000014
【図１３】
2009048088.tif 000015
【図１４】
2009048088.tif 000016
【図１５】
2009048088.tif 000017
【図１６】
2009048088.tif 000018
【国際調査報告】
2009048088.tif 000019
2009048088.tif 000020
2009048088.tif 000021
2009048088.tif 000022